(57)【要約】車両における知覚経験の創出を目的とするシステムおよび方法が記載される。１以上のソースからデータが受信されてよい。受信されたデータに少なくとも部分的に基づいて、デバイスデータが生成されてよい。車両に関連付けられる１以上の出力コンポーネントが特定されてよい。デバイスデータは、車両のユーザーに対する出力のために、１以上の出力コンポーネントに送信されてよい。
2015536280.tif 000002
【特許請求の範囲】
【請求項１】
１以上のプロセッサが、１以上のソースから検知データを受信するステップと、
前記１以上のプロセッサが、前記受信された検知データに少なくとも部分的に基づいて、デバイスデータを生成するステップと、
前記１以上のプロセッサが、車両に関連付けられる１以上の出力コンポーネントを特定するステップと、
前記１以上のプロセッサが、前記デバイスデータを、前記車両のユーザーに対する出力のために前記１以上の出力コンポーネントに送信するステップと、
を含む、コンピューターにより実現される方法。
【請求項２】
１以上のプロセッサが１以上のソースから検知データを受信する前記ステップは、
前記車両に関連付けられる１以上のセンサー、第２の車両の１以上のセンサー、データベースまたはウェブサイトから、検知データを受信するステップ、
を含む、請求項１に記載のコンピューターにより実現される方法。
【請求項３】
前記１以上のプロセッサが、前記デバイスデータをサーバーに格納するステップ、
を更に含む、請求項１に記載のコンピューターにより実現される方法。
【請求項４】
前記１以上のプロセッサが、前記デバイスデータを前記車両の１以上の室内表面に表示するための命令を送信するステップ、
を更に含む、請求項１に記載のコンピューターにより実現される方法。
【請求項５】
前記１以上のプロセッサが、デバイスデータ市場から取得される第２のデバイスデータを受信するステップ、
を更に含む、請求項１に記載のコンピューターにより実現される方法。
【請求項６】
前記出力コンポーネントは、前記車両に関連付けられる１以上のプロジェクターと、前記車両に関連付けられる１以上のスピーカーと、前記車両に関連付けられる１以上の表示パネルと、前記車両に関連付けられる空調システムと、のうち少なくとも１つを更に含む、
請求項１に記載のコンピューターにより実現される方法。
【請求項７】
前記１以上のプロセッサが、１以上のデバイスとの接続を確立するステップと、
前記１以上のプロセッサが、前記デバイスデータを出力のために前記１以上のデバイスに送信するステップと、
を更に含む、請求項１に記載のコンピューターにより実現される方法。
【請求項８】
１以上のコンピューターを備えるシステムであって、
前記１以上のコンピューターは、
少なくとも１つのプロセッサと、
コンピューター実行可能命令を格納する少なくとも１つのメモリと、
を有し、
前記少なくとも１つのプロセッサは、前記少なくとも１つのメモリにアクセスし、
車両に関連付けられる複数のセンサーから、または複数のデータ記憶装置から、データを受信するためのコンピューター実行可能命令と、
前記受信されたデータに少なくとも部分的に基づいて、デバイスデータを生成するためのコンピューター実行可能命令と、
前記デバイスデータを、前記車両に関連付けられる１以上の出力コンポーネントに送信するためのコンピューター実行可能命令と、
を実行するように動作可能である、
システム。
【請求項９】
前記１以上の出力コンポーネントは、１以上のスピーカー、１以上のプロジェクター、前記車両に関連付けられる１以上の表示パネル、または、前記車両に関連付けられる環境システム、を更に含む、
請求項８に記載のシステム。
【請求項１０】
前記少なくとも１つのプロセッサは更に、
前記生成されたデバイスデータを格納するためのコンピューター実行可能命令、
を実行するように構成される、
請求項８に記載のシステム。
【請求項１１】
前記少なくとも１つのプロセッサは更に、
１以上のユーザーに対して、少なくとも１つのネットワークを介して、前記格納されたデバイスデータへのアクセスを促進するためのコンピューター実行可能命令、
を実行するように構成される、
請求項１０に記載のシステム。
【請求項１２】
前記少なくとも１つのプロセッサは更に、
前記デバイスデータを前記車両の１以上の室内表面に表示するための命令を送信するためのコンピューター実行可能命令、
を実行するように構成される、
請求項８に記載のシステム。
【請求項１３】
前記受信されたデータは、前記車両に関連付けられるデバイスデータ、第２の車両に関連付けられるデバイスデータ、または第三者によって生成されたデータを含む、
請求項８に記載のシステム。
【請求項１４】
前記少なくとも１つのプロセッサは更に、
センサーフュージョンに少なくとも部分的に基づいて、前記受信されたデータを処理するためのコンピューター実行可能命令と、
前記処理されたデータに少なくとも部分的に基づいて、前記デバイスデータを生成するためのコンピューター実行可能命令と、
を実行するように構成される、
請求項８に記載のシステム。
【請求項１５】
非一時的コンピューター可読媒体上に存在する、複数の命令が格納されたコンピュータープログラムであって、
前記複数の命令は、プロセッサによって実行されると、前記プロセッサに、
車両に関連付けられる１以上のデータセンサーから、１以上のデータストリームおよびデータを受信する工程と、
前記１以上のデータストリームと前記受信されたデータとのうち少なくとも１つに少なくとも部分的に基づいて、デバイスデータを生成する工程と、
前記デバイスデータの少なくとも一部を、前記車両に関連付けられる１以上の出力コンポーネントに送信する工程と、
を含む工程を実行させる、
コンピュータープログラム。
【請求項１６】
前記デバイスデータを前記車両の１以上の室内表面に表示するための命令を送信する工程、
を更に含む、請求項１５に記載のコンピュータープログラム。
【請求項１７】
前記デバイスデータに少なくとも部分的に基づいて、前記車両に関連付けられる環境制御システムを調節するための命令を送信する工程、
を更に含む、請求項１５に記載のコンピュータープログラム。
【請求項１８】
デバイスデータを生成する前記工程は更に、
センサーフュージョンに少なくとも部分的に基づいて、前記車両に関連付けられる前記１以上のデータセンサーからの前記受信されたデータを処理する工程と、
前記処理されたデータから、関連コンテンツを抽出する工程と、
前記抽出されたコンテンツに少なくとも部分的に基づいて、デバイスデータを生成する工程と、
を含む、
請求項１５に記載のコンピュータープログラム。
【請求項１９】
前記車両の表面にユーザーインターフェースを投射する工程と、
インタラクションデータを受信する工程であって、前記インタラクションデータは、１以上の車両センサーによって捕捉され、前記インタラクションデータは、１以上のユーザーの前記投射されたユーザーインターフェースとのインタラクションを捕捉する、工程と、
前記インタラクションデータを処理する工程と、
を更に含む、請求項１５に記載のコンピュータープログラム。
【請求項２０】
前記処理されたインタラクションデータに少なくとも部分的に基づいて、前記ユーザーインターフェースに関連付けられる１以上の車両コンポーネントに命令を送信する工程、
を更に含む、請求項１９に記載のコンピュータープログラム。
【請求項２１】
少なくとも１つのプロセッサと、
コンピューター実行可能命令を格納する少なくとも１つのメモリと、
を備えるシステムであって、
前記少なくとも１つのプロセッサは、前記少なくとも１つのメモリにアクセスし、
１以上のソースから検知データを受信するためのコンピューター実行可能命令と、
前記受信された検知データに少なくとも部分的に基づいて、デバイスデータを生成するためのコンピューター実行可能命令と、
車両に関連付けられる１以上の出力コンポーネントを特定するためのコンピューター実行可能命令と、
前記デバイスデータを、前記車両のユーザーに対する出力のために前記１以上の出力コンポーネントに送信するためのコンピューター実行可能命令と、
を実行するように動作可能である、
システム。
【請求項２２】
１以上のソースから前記検知データを受信するとき、前記少なくとも１つのプロセッサは、前記少なくとも１つのメモリにアクセスし、
前記車両に関連付けられる１以上のセンサー、第２の車両の１以上のセンサー、データベースまたはウェブサイトから、検知データを受信するためのコンピューター実行可能命令、
を実行するように動作可能である、
請求項２１に記載のシステム。
【請求項２３】
前記少なくとも１つのプロセッサは、前記少なくとも１つのメモリにアクセスし、
前記デバイスデータをサーバーに格納するためのコンピューター実行可能命令、
を実行するように動作可能である、
請求項２１に記載のシステム。
【請求項２４】
前記少なくとも１つのプロセッサは、前記少なくとも１つのメモリにアクセスし、
前記デバイスデータを前記車両の１以上の室内表面に表示するための命令を送信するためのコンピューター実行可能命令、
を実行するように動作可能である、
請求項２１に記載のシステム。
【請求項２５】
前記少なくとも１つのプロセッサは、前記少なくとも１つのメモリにアクセスし、
デバイスデータ市場から取得される第２のデバイスデータを受信するためのコンピューター実行可能命令、
を実行するように動作可能である、
請求項２１に記載のシステム。
【請求項２６】
前記出力コンポーネントは、前記車両に関連付けられる１以上のプロジェクターと、前記車両に関連付けられる１以上のスピーカーと、前記車両に関連付けられる１以上の表示パネルと、前記車両に関連付けられる空調システムと、のうち少なくとも１つを更に含む、
請求項２１に記載のシステム。
【請求項２７】
前記少なくとも１つのプロセッサは、前記少なくとも１つのメモリにアクセスし、
１以上のデバイスとの接続を確立するためのコンピューター実行可能命令と、
前記デバイスデータを出力のために前記１以上のデバイスに送信するためのコンピューター実行可能命令と、
を実行するように動作可能である、
請求項２１に記載のシステム。
【請求項２８】
非一時的コンピューター可読媒体上に存在する、複数の命令が格納されたコンピュータープログラムであって、
前記複数の命令は、プロセッサによって実行されると、前記プロセッサに、
１以上のソースから検知データを受信する工程と、
前記受信された検知データに少なくとも部分的に基づいて、デバイスデータを生成する工程と、
車両に関連付けられる１以上の出力コンポーネントを特定する工程と、
前記デバイスデータを、前記車両のユーザーに対する出力のために前記１以上の出力コンポーネントに送信する工程と、
を含む工程を実行させる、
コンピュータープログラム。
【請求項２９】
１以上のソースから検知データを受信する前記工程は、前記車両に関連付けられる１以上のセンサー、第２の車両の１以上のセンサー、データベースまたはウェブサイトから、検知データを受信する工程を含む、
請求項２８に記載のコンピュータープログラム。
【請求項３０】
前記工程は更に、
前記デバイスデータをサーバーに格納する工程、
を含む、請求項２８に記載のコンピュータープログラム。
【請求項３１】
前記工程は更に、
前記デバイスデータを前記車両の１以上の室内表面に表示するための命令を送信する工程、
を含む、請求項２８に記載のコンピュータープログラム。
【請求項３２】
前記工程は更に、
デバイスデータ市場から取得される第２のデバイスデータを受信する工程、
を更に含む、請求項２８に記載のコンピュータープログラム。
【請求項３３】
前記出力コンポーネントは、前記車両に関連付けられる１以上のプロジェクターと、前記車両に関連付けられる１以上のスピーカーと、前記車両に関連付けられる１以上の表示パネルと、前記車両に関連付けられる空調システムと、のうち少なくとも１つを更に含む、
請求項２８に記載のコンピュータープログラム。
【請求項３４】
前記工程は更に、
１以上のデバイスとの接続を確立する工程と、
前記デバイスデータを出力のために前記１以上のデバイスに送信する工程と、
を含む、請求項２８に記載のコンピュータープログラム。
【請求項３５】
１以上のソースから検知データを受信する手段と、
前記受信された検知データに少なくとも部分的に基づいて、デバイスデータを生成する手段と、
車両に関連付けられる１以上の出力コンポーネントを特定する手段と、
前記デバイスデータを、前記車両のユーザーに対する出力のために前記１以上の出力コンポーネントに送信する手段と、
を備えるシステム。
【請求項３６】
１以上のソースから検知データを受信する前記手段は、
前記車両に関連付けられる１以上のセンサー、第２の車両の１以上のセンサー、データベースまたはウェブサイトから、検知データを受信する手段、
を更に備える、
請求項３５に記載のシステム。
【請求項３７】
前記デバイスデータをサーバーに格納する手段、
を更に備える、請求項３５に記載のシステム。
【請求項３８】
前記デバイスデータを前記車両の１以上の室内表面に表示するための命令を送信する手段、
を更に備える、請求項３５に記載のシステム。
【請求項３９】
デバイスデータ市場から取得される第２のデバイスデータを受信する手段、
を更に備える、請求項３５に記載のシステム。
【請求項４０】
前記出力コンポーネントは、前記車両に関連付けられる１以上のプロジェクターと、前記車両に関連付けられる１以上のスピーカーと、前記車両に関連付けられる１以上の表示パネルと、前記車両に関連付けられる空調システムと、のうち少なくとも１つを更に含む、
請求項３５に記載のシステム。
【請求項４１】
１以上のデバイスとの接続を確立する手段と、
前記デバイスデータを出力のために前記１以上のデバイスに送信する手段と、
を更に備える、請求項３５に記載のシステム。
【請求項４２】
少なくとも１つのアンテナと、
少なくとも１つの送受信部と、
少なくとも１つのプロセッサと、
コンピューター実行可能命令を格納する少なくとも１つのメモリと、
を備える装置であって、
前記少なくとも１つのプロセッサは、前記少なくとも１つのメモリにアクセスし、
１以上のソースから検知データを受信するためのコンピューター実行可能命令と、
前記受信された検知データに少なくとも部分的に基づいて、デバイスデータを生成するためのコンピューター実行可能命令と、
車両に関連付けられる１以上の出力コンポーネントを特定するためのコンピューター実行可能命令と、
前記デバイスデータを、前記車両のユーザーに対する出力のために前記１以上の出力コンポーネントに送信するためのコンピューター実行可能命令と、
を実行するように動作可能である、
装置。
【請求項４３】
１以上のソースから検知データを受信するとき、前記少なくとも１つのプロセッサは、前記少なくとも１つのメモリにアクセスし、
前記車両に関連付けられる１以上のセンサー、第２の車両の１以上のセンサー、データベースまたはウェブサイトから、検知データを受信するためのコンピューター実行可能命令、
を実行するように動作可能である、
請求項４２に記載の装置。
【請求項４４】
前記少なくとも１つのプロセッサは、前記少なくとも１つのメモリにアクセスし、
前記デバイスデータをサーバーに格納するためのコンピューター実行可能命令、
を実行するように動作可能である、
請求項４２に記載の装置。
【請求項４５】
前記少なくとも１つのプロセッサは、前記少なくとも１つのメモリにアクセスし、
前記デバイスデータを前記車両の１以上の室内表面に表示するための命令を送信するためのコンピューター実行可能命令、
を実行するように動作可能である、
請求項４２に記載の装置。
【請求項４６】
前記少なくとも１つのプロセッサは、前記少なくとも１つのメモリにアクセスし、
デバイスデータ市場から取得される第２のデバイスデータを受信するためのコンピューター実行可能命令、
を実行するように動作可能である、
請求項４２に記載の装置。
【請求項４７】
前記出力コンポーネントは、前記車両に関連付けられる１以上のプロジェクターと、前記車両に関連付けられる１以上のスピーカーと、前記車両に関連付けられる１以上の表示パネルと、前記車両に関連付けられる空調システムと、のうち少なくとも１つを更に含む、
請求項４２に記載の装置。
【請求項４８】
前記少なくとも１つのプロセッサは、前記少なくとも１つのメモリにアクセスし、
１以上のデバイスとの接続を確立するためのコンピューター実行可能命令と、
前記デバイスデータを出力のために前記１以上のデバイスに送信するためのコンピューター実行可能命令と、
を実行するように動作可能である、
請求項４２に記載の装置。
【請求項４９】
１以上のコンピュータープロセッサを有するデバイスが、車両に関連付けられる複数のセンサーから、または複数のデータ記憶装置から、データを受信するステップと、
前記デバイスが、前記受信されたデータに少なくとも部分的に基づいて、デバイスデータを生成するステップと、
前記デバイスが、前記デバイスデータを、前記車両に関連付けられる１以上の出力コンポーネントに送信するステップと、
を含む、コンピューターにより実現される方法。
【請求項５０】
前記１以上の出力コンポーネントは、１以上のスピーカー、１以上のプロジェクター、前記車両に関連付けられる１以上の表示パネル、または、前記車両に関連付けられる環境システム、を更に含む、
請求項４９に記載のコンピューターにより実現される方法。
【請求項５１】
前記デバイスが、前記生成されたデバイスデータを格納するステップ、
を更に含む、請求項４９に記載のコンピューターにより実現される方法。
【請求項５２】
前記デバイスが、１以上のユーザーに対して、少なくとも１つのネットワークを介して、前記格納されたデバイスデータへのアクセスを促進するステップ、
を更に含む、請求項５１に記載のコンピューターにより実現される方法。
【請求項５３】
前記デバイスが、前記デバイスデータを前記車両の１以上の室内表面に表示するための命令を送信するステップ、
を更に含む、請求項４９に記載のコンピューターにより実現される方法。
【請求項５４】
前記受信されたデータは、前記車両に関連付けられるデバイスデータ、第２の車両に関連付けられるデバイスデータ、または第三者によって生成されたデータを含む、
請求項４９に記載のコンピューターにより実現される方法。
【請求項５５】
前記デバイスが、センサーフュージョンに少なくとも部分的に基づいて、前記受信されたデータを処理するステップと、
前記処理されたデータに少なくとも部分的に基づいて、前記デバイスデータを生成するステップと、
を更に含む、請求項４９に記載のコンピューターにより実現される方法。
【請求項５６】
非一時的コンピューター可読媒体上に存在する、複数の命令が格納されたコンピュータープログラムであって、
前記複数の命令は、プロセッサによって実行されると、前記プロセッサに、
車両に関連付けられる複数のセンサーから、または複数のデータ記憶装置から、データを受信する工程と、
前記受信されたデータに少なくとも部分的に基づいて、デバイスデータを生成する工程と、
前記デバイスデータを、前記車両に関連付けられる１以上の出力コンポーネントに送信する工程と、
を含む工程を実行させる、
コンピュータープログラム。
【請求項５７】
前記１以上の出力コンポーネントは、１以上のスピーカー、１以上のプロジェクター、前記車両に関連付けられる１以上の表示パネル、または、前記車両に関連付けられる環境システム、を更に含む、
請求項５６に記載のコンピュータープログラム。
【請求項５８】
前記工程は更に、前記生成されたデバイスデータを格納する工程を含む、
請求項５６に記載のコンピュータープログラム。
【請求項５９】
前記工程は更に、１以上のユーザーに対して、少なくとも１つのネットワークを介して、前記格納されたデバイスデータへのアクセスを促進する。を含む、
請求項５８に記載のコンピュータープログラム。
【請求項６０】
前記工程は更に、前記デバイスデータを前記車両の１以上の室内表面に表示するための命令を送信する工程を含む、
請求項５６に記載のコンピュータープログラム。
【請求項６１】
前記受信されたデータは、前記車両に関連付けられるデバイスデータ、第２の車両に関連付けられるデバイスデータ、または第三者によって生成されたデータを含む、
請求項５６に記載のコンピュータープログラム。
【請求項６２】
前記工程は更に、
センサーフュージョンに少なくとも部分的に基づいて、前記受信されたデータを処理する工程と、
前記処理されたデータに少なくとも部分的に基づいて、前記デバイスデータを生成する工程と、
を含む、
請求項５６に記載のコンピュータープログラム。
【請求項６３】
車両に関連付けられる複数のセンサーから、または複数のデータ記憶装置から、データを受信する手段と、
前記受信されたデータに少なくとも部分的に基づいて、デバイスデータを生成する手段と、
前記デバイスデータを、前記車両に関連付けられる１以上の出力コンポーネントに送信する手段と、
を備えるシステム。
【請求項６４】
前記１以上の出力コンポーネントは、１以上のスピーカー、１以上のプロジェクター、前記車両に関連付けられる１以上の表示パネル、または、前記車両に関連付けられる環境システム、を更に含む、
請求項６３に記載のシステム。
【請求項６５】
前記生成されたデバイスデータを格納する手段、
を更に備える、請求項６３に記載のシステム。
【請求項６６】
１以上のユーザーに対して、少なくとも１つのネットワークを介して、前記格納されたデバイスデータへのアクセスを促進する手段、
を更に備える、請求項６５に記載のシステム。
【請求項６７】
前記デバイスデータを前記車両の１以上の室内表面に表示するための命令を送信する手段、
を更に備える、請求項６３に記載のシステム。
【請求項６８】
前記受信されたデータは、前記車両に関連付けられるデバイスデータ、第２の車両に関連付けられるデバイスデータ、または第三者によって生成されたデータを含む、
請求項６３に記載のシステム。
【請求項６９】
センサーフュージョンに少なくとも部分的に基づいて、前記受信されたデータを処理する手段と、
前記処理されたデータに少なくとも部分的に基づいて、前記デバイスデータを生成する手段と、
を更に備える、請求項６３に記載のシステム。
【請求項７０】
少なくとも１つのアンテナと、
少なくとも１つの送受信部と、
少なくとも１つのプロセッサと、
コンピューター実行可能命令を格納する少なくとも１つのメモリと、
を備える装置であって、
前記少なくとも１つのプロセッサは、前記少なくとも１つのメモリにアクセスし、
車両に関連付けられる複数のセンサーから、または複数のデータ記憶装置から、データを受信するためのコンピューター実行可能命令と、
前記受信されたデータに少なくとも部分的に基づいて、デバイスデータを生成するためのコンピューター実行可能命令と、
前記デバイスデータを、前記車両に関連付けられる１以上の出力コンポーネントに送信するためのコンピューター実行可能命令と、
を実行するように動作可能である、
装置。
【請求項７１】
前記１以上の出力コンポーネントは、１以上のスピーカー、１以上のプロジェクター、前記車両に関連付けられる１以上の表示パネル、または、前記車両に関連付けられる環境システム、を更に含む、
請求項７０に記載の装置。
【請求項７２】
前記少なくとも１つのプロセッサは、前記少なくとも１つのメモリにアクセスし、
前記生成されたデバイスデータを格納するためのコンピューター実行可能命令、
を実行するように動作可能である、
請求項７０に記載の装置。
【請求項７３】
前記少なくとも１つのプロセッサは、前記少なくとも１つのメモリにアクセスし、
１以上のユーザーに対して、少なくとも１つのネットワークを介して、前記格納されたデバイスデータへのアクセスを促進するコンピューター実行可能命令、
を実行するように動作可能である、
請求項７２に記載の装置。
【請求項７４】
前記少なくとも１つのプロセッサは、前記少なくとも１つのメモリにアクセスし、
前記デバイスデータを前記車両の１以上の室内表面に表示するための命令を送信するためのコンピューター実行可能命令、
を実行するように動作可能である、
請求項７０に記載の装置。
【請求項７５】
前記受信されたデータは、前記車両に関連付けられるデバイスデータ、第２の車両に関連付けられるデバイスデータ、または第三者によって生成されたデータを含む、
請求項７０に記載の装置。
【請求項７６】
前記少なくとも１つのプロセッサは、前記少なくとも１つのメモリにアクセスし、
センサーフュージョンに少なくとも部分的に基づいて、前記受信されたデータを処理するためのコンピューター実行可能命令と、
前記処理されたデータに少なくとも部分的に基づいて、前記デバイスデータを生成するためのコンピューター実行可能命令と、
を実行するように動作可能である、
請求項７０に記載の装置。
【請求項７７】
１以上のコンピュータープロセッサを有するデバイスが、車両に関連付けられる１以上のデータセンサーから、１以上のデータストリームおよびデータを受信するステップと、
前記デバイスが、前記１以上のデータストリームと前記受信されたデータとのうち少なくとも１つに少なくとも部分的に基づいて、デバイスデータを生成するステップと、
前記デバイスが、前記デバイスデータの少なくとも一部を、前記車両に関連付けられる１以上の出力コンポーネントに送信するステップと、
を含む、コンピューターにより実現される方法。
【請求項７８】
前記デバイスが、前記デバイスデータの少なくとも一部を前記車両の１以上の室内表面に表示するための命令を送信するステップ、
を更に含む、請求項７７に記載のコンピューターにより実現される方法。
【請求項７９】
前記デバイスが、前記デバイスデータに少なくとも部分的に基づいて、前記車両に関連付けられる環境制御システムを調節するための命令を送信するステップ、
を更に含む、請求項７７に記載のコンピューターにより実現される方法。
【請求項８０】
デバイスデータを生成する前記ステップは更に、
前記デバイスが、センサーフュージョンに少なくとも部分的に基づいて、前記車両に関連付けられる前記１以上のデータセンサーからの前記受信されたデータを処理するステップと、
前記デバイスが、前記処理されたデータから関連コンテンツを抽出するステップと、
前記抽出されたコンテンツに少なくとも部分的に基づいて、デバイスデータを生成するステップと、
を含む、
請求項７７に記載のコンピューターにより実現される方法。
【請求項８１】
前記デバイスが、前記車両の表面にユーザーインターフェースを投射するステップと、
前記デバイスがインタラクションデータを受信するステップであって、前記インタラクションデータは１以上の車両センサーによって捕捉され、前記インタラクションデータは、１以上のユーザーの前記投射されたユーザーインターフェースとのインタラクションを捕捉する、ステップと、
前記インタラクションデータを処理するステップと、
を更に含む、請求項７７に記載のコンピューターにより実現される方法。
【請求項８２】
前記デバイスが、前記処理されたインタラクションデータに少なくとも部分的に基づいて、前記ユーザーインターフェースに関連付けられる１以上の車両コンポーネントに命令を送信するステップ、
を更に含む、請求項８１に記載のコンピューターにより実現される方法。
【請求項８３】
少なくとも１つのプロセッサと、
コンピューター実行可能命令を格納する少なくとも１つのメモリと、
を備えるシステムであって、
前記少なくとも１つのプロセッサは、前記少なくとも１つのメモリにアクセスし、
車両に関連付けられる１以上のデータセンサーから、１以上のデータストリームおよびデータを受信するためのコンピューター実行可能命令と、
前記１以上のデータストリームと前記受信されたデータとのうち少なくとも１つに少なくとも部分的に基づいて、デバイスデータを生成するためのコンピューター実行可能命令と、
前記デバイスデータの少なくとも一部を、前記車両に関連付けられる１以上の出力コンポーネントに送信するためのコンピューター実行可能命令と、
を実行するように動作可能である、
システム。
【請求項８４】
前記少なくとも１つのプロセッサは、前記少なくとも１つのメモリにアクセスし、
前記デバイスデータの少なくとも一部を前記車両の１以上の室内表面に表示するための命令を送信するためのコンピューター実行可能命令、
を実行するように動作可能である、
請求項８３に記載のシステム。
【請求項８５】
前記少なくとも１つのプロセッサは、前記少なくとも１つのメモリにアクセスし、
前記デバイスデータに少なくとも部分的に基づいて、前記車両に関連付けられる環境制御システムを調節するための命令を送信するためのコンピューター実行可能命令、
を実行するように動作可能である、
請求項８３に記載のシステム。
【請求項８６】
デバイスデータを生成するときに、前記少なくとも１つのプロセッサは、前記少なくとも１つのメモリにアクセスし、
センサーフュージョンに少なくとも部分的に基づいて、前記車両に関連付けられる前記１以上のデータセンサーからの前記受信されたデータを処理するためのコンピューター実行可能命令と、
前記処理されたデータから関連コンテンツを抽出するためのコンピューター実行可能命令と、
前記抽出されたコンテンツに少なくとも部分的に基づいて、デバイスデータを生成するためのコンピューター実行可能命令と、
を実行するように動作可能である、
請求項８３に記載のシステム。
【請求項８７】
前記少なくとも１つのプロセッサは、前記少なくとも１つのメモリにアクセスし、
前記車両の表面にユーザーインターフェースを投射するためのコンピューター実行可能命令と、
インタラクションデータを受信するためのコンピューター実行可能命令と、
前記インタラクションデータを処理するためのコンピューター実行可能命令と、
を実行するように動作可能であり、
前記インタラクションデータは１以上の車両センサーによって捕捉され、前記インタラクションデータは、１以上のユーザーの前記投射されたユーザーインターフェースとのインタラクションを捕捉する、
請求項８３に記載のシステム。
【請求項８８】
前記少なくとも１つのプロセッサは、前記少なくとも１つのメモリにアクセスし、
前記処理されたインタラクションデータに少なくとも部分的に基づいて、前記ユーザーインターフェースに関連付けられる１以上の車両コンポーネントに命令を送信するためのコンピューター実行可能命令、
を実行するように動作可能である、
請求項８７に記載のシステム。
【請求項８９】
車両に関連付けられる１以上のデータセンサーから、１以上のデータストリームおよびデータを受信する手段と、
前記１以上のデータストリームと前記受信されたデータとのうち少なくとも１つに少なくとも部分的に基づいて、デバイスデータを生成する手段と、
前記デバイスデータの少なくとも一部を、前記車両に関連付けられる１以上の出力コンポーネントに送信する手段と、
を備えるシステム。
【請求項９０】
前記デバイスデータを前記車両の１以上の室内表面に表示するための命令を送信する手段、
を更に備える、請求項８９に記載のシステム。
【請求項９１】
前記デバイスデータに少なくとも部分的に基づいて前記車両に関連付けられる環境制御システムを調節するための命令を送信する手段、
を更に備える、請求項８９に記載のシステム。
【請求項９２】
デバイスデータを生成する前記手段は更に、
センサーフュージョンに少なくとも部分的に基づいて、前記車両に関連付けられる前記１以上のデータセンサーからの前記受信されたデータを処理する手段と、
前記処理されたデータから、関連コンテンツを抽出する手段と、
前記抽出されたコンテンツに少なくとも部分的に基づいて、デバイスデータを生成する手段と、
を含む、
請求項８９に記載のシステム。
【請求項９３】
前記車両の表面にユーザーインターフェースを投射する手段と、
インタラクションデータを受信する手段であって、前記インタラクションデータは１以上の車両センサーによって捕捉され、前記インタラクションデータは、１以上のユーザーの前記投射されたユーザーインターフェースとのインタラクションを捕捉する、手段と、
前記インタラクションデータを処理する手段と、
を更に備える、請求項８９に記載のシステム。
【請求項９４】
前記処理されたインタラクションデータに少なくとも部分的に基づいて、前記ユーザーインターフェースに関連付けられる１以上の車両コンポーネントに命令を送信する手段、
を更に備える、請求項９３に記載のシステム。
【請求項９５】
少なくとも１つのアンテナと、
少なくとも１つの送受信部と、
少なくとも１つのプロセッサと、
コンピューター実行可能命令を格納する少なくとも１つのメモリと、
を備える装置であって、
前記少なくとも１つのプロセッサは、前記少なくとも１つのメモリにアクセスし、
車両に関連付けられる１以上のデータセンサーから、１以上のデータストリームおよびデータを受信するためのコンピューター実行可能命令と、
前記１以上のデータストリームと前記受信されたデータとのうち少なくとも１つに少なくとも部分的に基づいて、デバイスデータを生成するためのコンピューター実行可能命令と、
前記デバイスデータの少なくとも一部を、前記車両に関連付けられる１以上の出力コンポーネントに送信するためのコンピューター実行可能命令と、
を実行するように動作可能である、
装置。
【請求項９６】
前記少なくとも１つのプロセッサは、前記少なくとも１つのメモリにアクセスし、
前記デバイスデータの少なくとも一部を前記車両の１以上の室内表面に表示するための命令を送信するためのコンピューター実行可能命令、
を実行するように動作可能である、
請求項９５に記載の装置。
【請求項９７】
前記少なくとも１つのプロセッサは、前記少なくとも１つのメモリにアクセスし、
前記デバイスデータに少なくとも部分的に基づいて、前記車両に関連付けられる環境制御システムを調節するための命令を送信するためのコンピューター実行可能命令、
を実行するように動作可能である、
請求項９５に記載の装置。
【請求項９８】
デバイスデータを生成するときに、前記少なくとも１つのプロセッサは、前記少なくとも１つのメモリにアクセスし、
センサーフュージョンに少なくとも部分的に基づいて、前記車両に関連付けられる前記１以上のデータセンサーからの前記受信されたデータを処理するためのコンピューター実行可能命令と、
前記処理されたデータから関連コンテンツを抽出するためのコンピューター実行可能命令と、
前記抽出されたコンテンツに少なくとも部分的に基づいて、デバイスデータを生成するためのコンピューター実行可能命令と、
を実行するように動作可能である、
請求項９５に記載の装置。
【請求項９９】
前記少なくとも１つのプロセッサは、前記少なくとも１つのメモリにアクセスし、
前記車両の表面にユーザーインターフェースを投射するためのコンピューター実行可能命令と、
インタラクションデータを受信するためのコンピューター実行可能命令であって、前記インタラクションデータは１以上の車両センサーによって捕捉され、前記インタラクションデータは、１以上のユーザーの前記投射されたユーザーインターフェースとのインタラクションを捕捉する、コンピューター実行可能命令と、
前記インタラクションデータを処理するためのコンピューター実行可能命令と、
を実行するように動作可能である、
請求項９５に記載の装置。
【請求項１００】
前記少なくとも１つのプロセッサは、前記少なくとも１つのメモリにアクセスし、
前記処理されたインタラクションデータに少なくとも部分的に基づいて、前記ユーザーインターフェースに関連付けられる１以上の車両コンポーネントに命令を送信するためのコンピューター実行可能命令、
を実行するように動作可能である、
請求項９９に記載の装置。
【発明の詳細な説明】
【技術分野】
【０００１】
本開示の実施形態は、一般に車両の情報システムに関し、より具体的には、車両における知覚経験の創出に関する。
【背景技術】
【０００２】
車両は、形状だけでなく機能も異なる場合がある。スタイル、サイズおよび実装の多様性により、特定の予算内であっても多くの異なる車両から選択することができる。しかしながら、いちど車両を購入すると、その車両の室内をカスタマイズしたり変更したりするにはコストがかかり、不便であることが多い。
【図面の簡単な説明】
【０００３】
以下、添付の図面を参照して、詳細な説明を記載する。図面中、参照符号の左端の数字は、その参照符号が最初に登場する図面を示す。異なる図面で同じ参照符号が用いられる場合、同様の要素または同一の要素を示す。
【図１】本開示の実施形態に係る、車両において知覚経験を創出する構成を示す図である。
【図２】本開示の実施形態に係る、車両において知覚経験を創出する例示的な車両コンピューティングシステムを示すブロック図である。
【図３Ａ】車両の例示的な室内を示す図である。
【図３Ｂ】本開示の実施形態に係る、車両において知覚経験を創出するシステムを備える車両の例示的な室内を示す図である。
【図４Ａ】車両の例示的な室内を示す図である。
【図４Ｂ】本開示の実施形態に係る、車両において知覚経験を創出するシステムを備える車両の例示的な室内を示す図である。
【図５】本開示の実施形態に係る、車両において知覚経験を創出する方法を示すフロー図である。
【図６】本開示の実施形態に係る、車両において知覚経験を創出するデバイスの構成を示す図である。  以下、各種実施および／または態様が示される添付の図面を参照して、特定の実施を詳述する。しかしながら、各種態様は多くの異なる形態で実施されてよく、本明細書に記載の実施に限定されるものと解釈されるべきではない。むしろ、これらの実施は、本開示が詳細かつ完全なものになるように提供されるものであり、本開示の範囲を当該技術分野の当業者に十分に伝えるものである。同じ参照符号は、全体にわたって同じ要素を示す。
【発明を実施するための形態】
【０００４】
以下、本開示の実施形態が図示される添付の図面を参照して、本開示の実施形態を詳述する。しかしながら、本開示は、多くの異なる形態で実現されてよく、本明細書に記載の実施形態に限定されるものと解釈されるべきではない。むしろ、これらの実施形態は、本開示が詳細かつ完全なものになるように提供されるものであり、本開示の範囲を当該技術分野の当業者に十分に伝えるものである。同じ参照符号は、全体にわたって同じ要素を示す。
【０００５】
本明細書に記載の特定の実施形態は、車両における知覚経験の創出を対象とすることができる。例えば、いくつかの実施形態では、システムは、ユーザーが車両内で知覚経験を創出できるようにする１以上の出力モダリティを備えてよい。該システムは、経験を捕捉、共有および再創出し、該経験を車両の室内等の表面に投射する機能を有してよい。いくつかの実施形態では、該システムは、周囲の知覚経験（例えば、ダッシュボードディスプレー、オーディオディスプレー、環境制御ディスプレー）をデバイスデータの形で検出、保存および再創出する機能を有してよい。検知データは、車両に関連付けられるセンサーから捕捉されてよく、ウェブサイトまたはリモートサーバーからダウンロードされてよく、或いは、カスタマイズアプリケーションからマニュアルで設定されてよい。デバイスデータは、検知データに少なくとも部分的に基づいて生成されてよい。デバイスデータは、人間の車内知覚経験を拡張（augment）する際に用いられてよい。いくつかの実施形態では、保存またはダウンロードされた知覚経験の設定を用いるか、カスタマイズされた車内経験を基本の経験設定から創出するか、または保存またはダウンロードされたデバイスデータセットを拡張するかが、選択されてよい。
【０００６】
いくつかの実施形態では、デバイスデータは、ウェブサイトまたはアプリケーションストアにアップロードされてよい。デバイスデータは、有料でダウンロード可能であってもよいし、無料で入手可能であってもよい。
【０００７】
図１は、本開示の実施形態に係る、車両において知覚経験を創出する例示的なシステム構成１００を示す。本構成は、車両１０２に関連付けられる知覚経験デバイス１５０を含んでよい。本構成は１以上の車両１０２を含んでよいが、これに限定されない。車両１０２は１以上のシステムを有してよく、１以上のシステムは、後に詳述するように、車両１０２に関連付けられる機能および特徴を実施するための１以上の処理装置を備える。車両１０２は、車両１０２に関連付けられる検知データを捕捉することができる１以上のセンサー１０６Ａ〜１０６Ｃ（まとめてセンサー１０６と称する）を有してよい。例えば、センサー１０６は外部ビデオカメラ１０６Ａ，１０６Ｂであってよく、車両１０２が走行中に道路状況に関するビデオ等の検知データを捕捉してよい。或いは、センサー１０６はマイク１０６Ｃであってよく、環境の音声を捕捉してよい。
【０００８】
車両１０２は、車載インフォテインメント（ＩＶＩ）システム１１０等の車載プラットフォームを有してよい。本明細書で用いられる場合、ＩＶＩシステム１１０は、車両１０２に娯楽的特徴および情報的特徴を提供する車両１０２のシステムを指す場合がある。ＩＶＩシステム１１０は、車両のメインコンピューターの一部またはスタンドアロン型システムであってよい。ＩＶＩシステム１１０は、本明細書に記載されるように、車両１０２において知覚経験を創出するシステムと通信してよい。ＩＶＩシステム１１０は更に、後述するように、電子メモリと通信可能に結合される１以上のプロセッサを備えてよい。
【０００９】
車両１０２は、１以上の種類のネットワーク１２０を介して、リモートサーバー１３０と接続を確立してよい。１以上の種類のネットワーク１２０の非限定的な例としては、ワイヤレス・フィディリティ（Ｗｉ−Ｆｉ）ネットワーク、Ｗｉ−Ｆｉ  Ｄｉｒｅｃｔネットワーク、Ｂｌｕｅｔｏｏｔｈ（登録商標）、無線ネットワーク、セルラーネットワーク（例えば、第３世代または第４世代）、衛星ネットワーク、ケーブルネットワーク、地上通信線ネットワーク、インターネット、イントラネット、電話ネットワーク、テレビネットワーク、データネットワークその他複数のコンピューティングデバイスを互いに接続する通信媒体が挙げられる。本明細書の特定の実施形態によれば、リモートサーバー１３０との接続を可能にするために、複数のネットワークが車両１０２によって利用されてよい。
【００１０】
いくつかの実施形態では、車両１０２は、電子デバイス１４０に結合されるように構成されてよい。電子デバイス１４０は、電子デバイスメモリとユーザーインターフェースおよび出力要素（例えば車両１０２のスピーカー）とに通信可能に結合される、１以上の電子デバイスプロセッサを有してよい。電子デバイス１４０は、伝達リンクを介して車両１０２と通信してよい。本明細書における特定の実施形態では、車両１０２における知覚経験の創出の実施に関する装置は、本明細書に記載の機能がＩＶＩシステム１１０に関連付けられるように、ＩＶＩシステム１１０に設けられてよい。他の実施形態では、本明細書に記載の機能は、他のシステムとは無関係に存在してよく、或いは様々な他のシステムに関連付けられてもよい。
【００１１】
ＩＶＩシステム１１０は、１以上の電子デバイス１４０と通信してよい。一態様では、電子デバイス１４０は、ＩＶＩシステム１１０の拡張部として機能してよい。例えば、ＩＶＩシステム１１０がインターネット機能を有さない場合、ＩＶＩシステム１１０は、車両１０２に関連付けられる電子デバイス１４０と通信して、電子デバイス１４０の通信機能を利用してよい。
【００１２】
伝達リンクは、任意の適切な電子通信リンクであってよい。例えば、有線接続、シリアルリンク、パラレルリンク、無線リンク、Ｂｌｕｅｔｏｏｔｈ（登録商標）チャネル、ＺｉｇＢｅｅ（登録商標）接続、ワイヤレス・フィディリティ（Ｗｉ−Ｆｉ）接続、近距離無線通信（Near  Field  Communication：ＮＦＣ）プロトコル、プロプライエタリ・プロトコル接続、またはこれらの組合わせであってよいが、これらに限定されない。一態様では、伝達リンクは、電子デバイス１４０とＩＶＩシステム１１０との通信を傍受し解読するのが比較的難しくなるように、セキュアであってよい。特定の実施形態では、伝達リンクは暗号化されてよい。更に、特定の実施形態では、２以上の開放型システム間相互接続（Open  Systems  Interconnection：ＯＳＩ）モデル層において、通信が暗号化されてよい。例えば、電子デバイス１４０と車両１０２との通信は、アプリケーション層と、トランスポート層またはリンク層との両方において、暗号化されてよい。いくつかの実施形態では、伝達リンクは、車両１０２に関連付けられる電子デバイス１４０の通信機能によるものであってよい。例えば、車両１０２がインターネット機能を有さない場合、ＩＶＩシステム１１０は、例えばセルラー通信機能をもつスマートフォン等の電子デバイス１４０との関連を通して、データにアクセス可能であってよい。
【００１３】
この議論の上で、車両１０２は、情報機能およびメディア機能を有する自動車、トラック、軽量トラック、重量トラック、ピックアップトラック、ミニバン、クロスオーバー車、バン、商用車、自家用車、スポーツ用途車、トラクタートレーラー、航空機、飛行機、ジェット機、ヘリコプター、宇宙飛行体、船舶、オートバイその他適切な車両を含んでよいが、これらに限定されない。しかしながら、車両における知覚経験の創出が実施され得る他の輸送関連または非輸送関連の適用においても、本開示の実施形態が利用されてよいことが、理解されるであろう。
【００１４】
車両センサーは、車両１０２に関連付けられる任意の適切なデータ収集要素であってよい。結果として、車両センサーは、車両１０２内の、または車両１０２に関連付けられる、聴覚情報、視覚情報、触覚情報または環境情報を収集してよい。車両１０２に関連付けられる１以上のセンサーによって収集されるデータは、「検知データ」と称される場合がある。車両センサーは、車両１０２の乗員室内の１以上のカメラ１０６を含んでよく、１以上のカメラ１０６は、環境の画像および場面情報（車両１０２内の照明条件、車両１０２外部の天気等）を捕捉してよい。また、車両センサーは、ＧＰＳ装置、マイク１０６Ｃ、座席重量センサーその他の車両１０２に関連付けられる異なる種類のデータ収集要素であってもよい。
【００１５】
更に、適切な電子デバイス１４０は、スマートフォン、タブレット、ラップトップコンピューター、電子書籍デバイス、プロセッサベースデバイス等を含んでよいが、これらに限定されない。いくつかの実施形態では、本システムは、車両１０２の室内表面に画像を投射する１以上のプロジェクター１２５を備えてよい。例えば、乗員室内の１以上のプロジェクター１２５は、車両１０２内の人に対して知覚経験を創出するために、車両１０２のダッシュボードパネル、窓、フロントガラス、備品（furniture）その他の表面に画像を投射してよい。
【００１６】
知覚経験デバイス１５０は、スタンドアロン型デバイス、または車両１０２と一体化したデバイスであってよい。知覚経験デバイスは、車両１０２に関連付けられる経験を捕捉してもよく、車両１０２外部の他のソースから経験をダウンロードしてもよく、車両１０２内で経験を再創出してもよい。例示的な知覚経験デバイス１５０の詳細は後述する。
【００１７】
図２は、車両（例えば図１の車両１０２）の例示的な車両コンピューティングシステム２００のブロック図を示し、特に、ＩＶＩシステム１１０の画像処理支援を用いて車両１０２において知覚経験を創出する場合を示す。図２に示すように、車両における知覚経験の創出を促進するために、複数の車両システムが相互作用してよい。例えば、一実施形態において、コンピューティングシステム２０５は、エンジン装置、ブレーキ装置、動力操舵装置、ドア制御装置、窓制御装置等の車両の標準的な装置またはコンポーネントを制御するために存在してよい。また、コンピューティングシステム２０５は、車両１０２内に存在し得る様々な入出力（Ｉ／Ｏ）装置２６０を含んでもよく、非限定的な例として、車両センサー（例えば、マイク、座席重量センサー、カメラ、車両１０２内の画像を捕捉する内部対向カメラおよび車両周辺から画像を捕捉する外部対向カメラ１０６Ａ，１０６Ｂ）等の収集装置や、発光ダイオード（ＬＥＤ）ディスプレー、有機発光ダイオード（ＯＬＥＤ）ディスプレー等の表示装置が挙げられる。メインプロセッサ２１２は、標準的なエンジン制御装置２６２およびＩ／Ｏ装置２６０と通信して、非限定的な例としてこれらの装置を起動し、これらの装置に情報を送出し、或いはこれらの装置から情報を収集してよい。
【００１８】
コンピューティングシステム２０５は、ＩＶＩシステム１１０と通信してよい。本明細書で用いられる場合、ＩＶＩシステムは、車両に娯楽的特徴および情報的特徴を提供する車両のシステムを指す場合がある。ＩＶＩシステム１１０は、プロセッサ２１０、メモリ２２０、１以上の通信装置２４０および送受信部２５０を備えてよいが、これらに限定されない。ＩＶＩシステム１１０において、プロセッサ２１０は通信装置２４０と通信してよい。例えば、プロセッサ２１０は、本明細書に記載されるような車両１０２における知覚経験の創出を促進するために、メモリ２２０と通信して、メモリ２２０に格納された特定のコンピューター実行可能命令またはモジュール（２２６，２２８等）を実行してよい。一実施形態では、プロセッサ２１０は、１以上の通信装置２４０と通信して、上記したような様々な種類のネットワークからメッセージを送受信してよい。送受信部２５０は、そのようなメッセージの送受信を促進してよい。いくつかの実施形態では、送信部と別個の受信部とを用いて、メッセージをそれぞれ送信し受信してよい。
【００１９】
本明細書の特定の実施形態によれば、プロセッサ２１０、メモリ２２０、通信装置２４０および送受信部２５０は、ＩＶＩシステム１１０のシステムに設けられてよい。このような方法で、これらの装置はアウトオブバンド（out  of  band）で動作してよく、または、最小電力のみを利用可能な状態（非限定的な例として、車両のシャットダウン、ハイバネーションまたはスタンバイに関連する状態）で動作してよい。一例では、ＩＶＩシステム１１０のこれらの装置をアウトオブバンドで動作可能とするのに十分な電力を供給するために、予備電池を用いてよい。このように、ＩＶＩシステム１１０のこれらの装置はウェイク状態を維持することができ（例えば、車両１０２がシャットダウンした後に）、例えば、電子デバイス等のユーザーデバイスと通信して、車両１０２における知覚経験の創出に関連付けられるメッセージを送受信する機能等の特定の機能を提供することができる。このような機能は、本明細書においてアウトオブバンドまたはアウトオブバンドでの動作と称される場合がある。ＩＶＩシステム１１０の装置は、アウトオブバンドでの動作中に互いに通信してもよい。例えば、プロセッサ２１０は、アウトオブバンドでの動作中にコンピューター実行可能命令またはモジュールを実行するために、メモリ２２０と通信してよい。
【００２０】
コンピューティングシステム２０５の装置および／またはプログラムモジュールは、例えば車両１０２の電源が切られたときにシャットダウンしてよく、したがって、アウトオブバンドで動作しなくてよい。例えば、メインオペレーティングシステム（図示なし）は、車両１０２の標準コンポーネント（例えば、エンジン、ブレーキ、ドア、窓、ハードディスクその他のメインオペレーティングシステムもしくはプログラムモジュールのうち１つと通信する装置）を制御してよいが、車両１０２がシャットダウンされたときに動作可能でなくてよい。しかしながら、本明細書の特定の実施形態によれば、メモリ２２０のオペレーティングシステム（Ｏ／Ｓ）２２２はオンボードまたはファームウェアのボードレベルに位置し得るので、車両１０２がシャットダウンされたとき、或いはハイバネーションやスタンバイ等の低電力状態であるときに、動作可能であってよい。このような構成により、ＩＶＩシステム１１０に含まれる装置は、メッセージを送信し、メッセージを受信し、車両１０２における知覚経験の創出を行うことができる。一例として、特定の実施形態によれば、ＩＶＩシステム１１０のプロセッサ２１０は、コンピューティングシステム２０５のメインプロセッサ２１２をウェイクアップするために、メインプロセッサ２１２（および／または他の装置）と通信してよく、これにより、１以上のアクションコードを介してユーザーによって要求される機能を実行することができる。一実施形態では、後に詳述するように、このような通信はＣＡＮ−ＢＵＳプロトコルを用いて生じてよい。
【００２１】
プロセッサ２１０，２１２は、中央演算処理装置（ＣＰＵ）、デジタル・シグナル・プロセッサ（ＤＳＰ）、縮小命令セットコンピューター（reduced  instruction  set  computer：ＲＩＳＣ）、複数命令セットコンピューター（complex  instruction  set  computer：ＣＩＳＣ）、マイクロプロセッサ、マイクロコントローラー、フィールド・プログラマブル・ゲートアレイ（ＦＰＧＡ）、またはこれらの任意の組合わせ等の、任意の数の適切な処理装置を含んでよい。一実施形態では、車両コンピューティングシステム２００は、インテル（登録商標）アーキテクチャシステムをベースとしてよく、プロセッサ２１０およびチップセットは、インテル（登録商標）アトム（登録商標）プロセッサファミリー等の、インテル（登録商標）のプロセッサおよびチップセットファミリーからのものであってよい。また、プロセッサ２１０は、特定のデータ処理機能またはタスクを扱う１以上の特定用途向け集積回路（application-specific  integrated  circuit：ＡＳＩＣ）または特定用途向け標準品（application-specific  standard  product：ＡＳＳＰ）の一部として、１以上のプロセッサを含んでよい。更に、任意の数の適切なＩ／Ｏインターフェースおよび／または通信インターフェース（ネットワークインターフェース、データバスインターフェース等）により、プロセッサ２１０と車両コンピューティングシステム２００の他のコンポーネントとの通信が促進されてよい。
【００２２】
１以上の通信装置２４０は、車両コンピューティングシステム２００と車両コンピューティングシステム２００を含む車両１０２の外部に存在し得る他のデバイスとの通信を促進してよい。例えば、１以上の通信装置２４０は、図１に示すように、車両コンピューティングシステム２００が電子デバイス１４０からメッセージを受信し、かつ／または、電子デバイス１４０にメッセージを送信することができるようにしてよい。通信装置２４０は、無線ネットワーク（例えばワイヤレス・フィディリティ（Ｗｉ−Ｆｉ）ネットワーク、Ｗｉ−Ｆｉ  Ｄｉｒｅｃｔネットワーク、無線ネットワーク、セルラーネットワーク、ＧＰＳネットワーク、ＺｉｇＢｅｅ（登録商標）接続、Ｂｌｕｅｔｏｏｔｈ（登録商標）チャネル、プロプライエタリ・プロトコル接続その他の無線リンクが挙げられるが、これらに限定されない）、有線接続、シリアルリンク接続、パラレルリンク接続、またはこれらの組合わせのような、異なるネットワークを介する様々なタイプの通信を有効にしてよい。
【００２３】
様々な構成によれば、１以上のインターフェースカードまたは回路が、上記で示された複数のネットワークをサポートしてよい。一実施形態では、このような１以上のインターフェースカードまたは回路は、メモリ２２０内のファームウェアがＩＶＩシステム１１０に関連付けられる通信にアクセスし制御を行うことができるように、オンボード（onboard）であってよい。
【００２４】
次に、メモリ２２０のコンテンツについて、メモリ２２０は、例えばキャッシュ、リード・オンリー・メモリ（ＲＯＭ）デバイス、ランダム・アクセス・メモリ（ＲＡＭ）、ダイナミックＲＡＭ（ＤＲＡＭ）、スタティックＲＡＭ（ＳＲＡＭ）、同期型ダイナミックＲＡＭ（ＳＤＲＡＭ）、ダブルデータレート（ＤＤＲ）ＳＤＲＡＭ（ＤＤＲ−ＳＤＲＡＭ）、ラムバスＤＲＡＭ（ＲＤＲＡＭ）、フラッシュメモリデバイス、電気的消去可能プログラマブルＲＯＭ（ＥＥＰＲＯＭ）、不揮発性ＲＡＭ（ＮＶＲＡＭ）、ユニバーサル・シリアル・バス（ＵＳＢ）リムーバブルメモリ、磁気記憶装置、リムーバブル記憶装置（メモリカード等）および／または非リムーバブル記憶装置といった、任意の数の適切なメモリデバイスを有してよい。メモリ２２０は、適宜、車両コンピューティングシステム２００と通信する内部メモリデバイスおよび／または外部メモリデバイスを含んでよい。
【００２５】
メモリ２２０は、プロセッサ２１０によって利用されるデータ、実行可能命令および／または様々なプログラムモジュールを格納してよい。メモリ２２０によって格納され得るデータの例としては、データファイル２２４と、プロセッサ２１０によって実行され得る任意の数の適切なプログラムモジュールおよび／またはアプリケーション（例えばオペレーティングシステム（Ｏ／Ｓ）２２２、データ収集モジュール２２６および経験データモジュール２２８が挙げられるが、これらに限定されない）とが挙げられる。このようなモジュールの各々は個別のモジュールとして実装されてよく、或いは、このようなモジュールのうち１以上が、他のモジュールに関連付けられる機能の全部または少なくとも一部を実行してもよい。特定の実施形態では、このようなモジュールはファームウェアとしてリード・オンリー・メモリ２２０に格納されてよく、こうすることで、本明細書に記載の機能がより改ざんされにくくなり、またはより無効化されにくくなる。
【００２６】
データファイル２２４は、車両１０２における知覚経験の創出を促進し得る任意の適切な情報を含んでよい。情報の例としては、電子デバイス１４０の認証、１以上の画像センサー１０６によるデータの捕捉、画像の処理およびリモートサーバー１３０からの情報の取得に利用され得る情報や、本明細書に記載のプロセスを促進し得る他の情報が挙げられるが、これらに限定されない。
【００２７】
Ｏ／Ｓ２２２は、車両コンピューティングシステム２００の一般動作と、図２のメモリ２２０中に示される他のプログラムモジュールの実行とを促進する、適切なモジュールまたはアプリケーションを含んでよい。
【００２８】
データ収集モジュール２２６は、車両１０２に関連付けられる１以上のセンサーからのデータ受信を促進する複数の機能を実行してよい。例えば、データ収集モジュール２２６は、車両１０２に関連付けられるセンサー、または車両１０２に関連付けられる１以上のデバイス１４０（例えば、車両１０２に関連付けられる携帯電話、マイク、カメラ）に関連付けられるセンサーと接続を確立し、通信してよい。いくつかの実施形態では、データ収集モジュール２２６は、車両１０２の入出力装置２６０によって捕捉されたデータを、ＩＶＩシステム１１０を介して受信してよい。いくつかの実施形態では、データ収集モジュール２２６は、リモートサーバー１３０やウェブサイト等の、車両１０２外部のソースからデータを受信してよい。
【００２９】
経験データモジュール２２８は、車両における知覚経験の創出を促進する複数の機能を実行してよい。例えば、経験データモジュール２２８は、１以上のソースから情報を受信してよく、または別の方法で取得してよい。経験データモジュール２２８は、データ収集モジュール２２６または別のソースから受信された検知データに少なくとも部分的に基づいて、車両１０２における知覚経験の創出に用いられるデバイスデータを生成してよい。更に、経験データモジュール２２８は、１以上の適用可能な技術またはアルゴリズムを用いて、検知データを処理してよい。経験データモジュール２２８は、ローカルまたは車両１０２外部の記憶部（例えば、データベース、ウェブサイト、クラウドストレージ）に、デバイスデータを格納してよい。また、経験データモジュール２２８は、車両１０２において知覚経験を創出するために、生成されたデバイスデータを１以上の出力モダリティ（スピーカー、プロジェクター等）に送信してよい。
【００３０】
車両において知覚経験を創出するシステムおよび方法には、サポートモードが設けられてよい。サポートモードでは、車両の製造者が車両内経験の拡張を有効化し、促進し、或いは支援することができる。このような車両１０２は、車両センサーによって捕捉された検知データをデータ収集モジュール２２６および／または経験データモジュール２２８に送信し、かつ／または、１以上の車両コンポーネントに知覚経験の創出を指示するモジュール２２６，２２８からデータを受信するために、車両１０２において使用可能な１以上のデータポートを有してよい。利用可能なデータポートを介して受信された検知データにより、経験データモジュール２２８は、受信された検知データを処理し、車両１０２における知覚経験の創出に利用され得るデバイスデータを生成することができる。いくつかの実施形態では、車両１０２は、車両１０２における知覚経験に関してより多くのカスタマイズを可能にするために、１以上のユーザーインターフェースを有してよい。
【００３１】
車両１０２において知覚経験を創出するシステムおよび方法には、ジェネリックモードが設けられてよい。ジェネリックモードでは、車両の製造者は、車両内知覚経験の拡張を有効化し、促進し、或いは支援するためのサポートモードの機能（例えばデータポート）を有さない場合がある。例えば、サポートモードは旧型の車両では利用できない可能性があり、したがって、車両１０２において知覚経験を創出するシステムおよび方法はジェネリックモードを必要とする場合がある。車両１０２において知覚経験を創出するシステムおよび方法は、車両１０２の周囲の室内表面を検出してよく、車両１０２の任意のコンポーネントとの通信を行うことなく装置によって完全に出力される知覚経験を構成してよい。
【００３２】
メモリ２２０に加えて、またはメモリ２２０の代替として、他の実施形態は１以上の適切なコンピューター可読媒体を有してよい。１以上の適切なコンピューター可読媒体は、メモリ２２０に格納されるようなコンピューター実行可能命令を格納するために設けられてよい。１以上の処理装置、例えばプロセッサ２１０は、メモリ２２０のモジュール２２６，２２８に関連付けて上述したように、車両の遠隔管理を促進するために、そのようなコンピューター実行可能命令を実行してよい。本明細書で用いられる場合、「コンピューター可読媒体」という用語は、任意の形式で情報を保持する任意の形式の適切なメモリまたはメモリデバイス、例えば様々な種類の記憶装置（磁気記憶装置、光学記憶装置、スタティックメモリ等）を表す場合がある。実際、本開示の様々な実施形態は、多種多様の適切な形式で実施されてよい。
【００３３】
上記のモジュールは車両コンピューティングシステム２００と併せて説明されたが、１以上のモジュールは、本明細書に記載されるように、車両１０２において知覚経験を創出するシステムに関連付けられる任意のコンピューティングデバイス上に存在してよい。例えば、システムの１以上のモジュールは、車両１０２に設けられ、１以上のセンサーまたはデータソースからデータを受信してよい。車両１０２において知覚経験を創出するためのモジュールは、リモートサーバー（例えばサーバー１３０）上に存在してよい。いくつかの実施形態では、デバイスデータの一部は車両１０２上で生成されてもよく、デバイスデータの一部は車両１０２以外の１以上の装置（電子デバイス１４０、サーバー１３０等）上で生成されてもよい。いくつかの実施形態では、車両１０２以外の装置（例えば電子デバイス１４０またはサーバー１３０）は、車両１０２に関連付けられる１以上のセンサー１０６からの検知データ、または１以上のソース（ウェブサイト、データベース等）からの検知データを受信し、受信された検知データに少なくとも部分的に基づいて、デバイスデータを生成してよい。いくつかの実施形態では、１以上のモジュールは知覚経験デバイス１５０上に存在してよい。
【００３４】
図３Ａは、車両１０２の例示的な室内３００を示す図である。図中、車両１０２の室内３００はダッシュボードを含む。いくつかの実施形態では、ダッシュボードは様々な領域を含んでよい。例えば、ダッシュボードの運転席側は、車両１０２の動作に関する計装制御部を収納してよい。例えば、運転席側のダッシュボードは、ハンドルと、走行距離計等の様々な車両インジケーターとを備えてよい。助手席側のダッシュボードは、グローブボックスもしくは同様の収納用区画、またはパネルを備えてよい。運転席と助手席の間のダッシュボード領域３１０は、ナビゲーション用、娯楽用もしくは情報用の機器またはパネル（インフォテインメントユニット、ラジオ、ナビゲーションディスプレー等）を有してよい。車両１０２の室内３００の設計は、同じ機能を提供する限り、車両１０２の違いによって異なってよい。
【００３５】
図３Ｂは、車両１０２において知覚経験を創出するシステムを備える、車両１０２の室内３００を示す。いくつかの実施形態では、システムは、車両１０２の表面に投射され得る異なる車両のダッシュボードの設計等の、デバイスデータを受信してよい。続いてシステムは、デバイスデータを１以上の出力モダリティに送信してよい。１以上の出力モダリティは、プロジェクター１２５を含んでよい。プロジェクター１２５は、デバイスデータに基づく１以上の画像を、車両１０２の室内３００の表面に投射または表示してよい。例えば、図３Ｂに示すように、プロジェクター１２５は、ダッシュボードの一部（例えば、運転席と助手席の間のダッシュボード領域）に異なるダッシュボード部３１５を投射または表示してよい。
【００３６】
図４Ａは、車両の例示的な室内を示す図である。図４Ａにおいて、車両１０２の乗員は、車両１０２の運転席側の窓４０５またはフロントガラス４１０を通して、車両１０２の外部を見ることができる。図４Ｂは、車両１０２において知覚経験を創出するシステムを備える、車両１０２の内部乗員室４００を示す図である。いくつかの実施形態では、システムは、１以上のソースから検知データを受信してよい。例えば、システムは、カリフォルニア沿岸を走行している車両に関連付けられる検知データを受信してよい。検知データは、少なくとも部分的にデバイスデータを生成するために用いられてよく、デバイスデータは、１以上の出力モダリティ（例えば１以上のプロジェクター１２５）に送信されてよい。プロジェクターは、デバイスデータ４２５，４３０（受信された検知データに少なくとも部分的に基づく画像等）を、内部乗員室４００の１以上の表面（例えば、車両１０２の運転席側の窓４０５またはフロントガラス４１０）に投射してよい。いくつかの実施形態では、システムは、車両１０２が静止位置にない場合は、デバイスデータの任意の表面への表示または投射を許可しなくてよい。いくつかの実施形態では、システムは、自動運転状態または駐車状態の車両でのみ動作可能であってよい。
【００３７】
図５は、本開示の実施形態に係る、車両において知覚経験を創出する方法のフロー図である。概要として、ブロック５０２において、１以上の車両センサーに捕捉された検知データまたはデータ記憶装置に格納された検知データが受信されてよい。ブロック５０４において、受信された検知データに少なくとも部分的に基づいて、デバイスデータが生成されてよい。ブロック５０６において、１以上の出力コンポーネントまたはモダリティが特定されてよい。ブロック５０８において、デバイスデータが送信されてよい。ブロック５１０において、特定された出力コンポーネントまたはモダリティにより、デバイスデータが出力されてよい。
【００３８】
ブロック５０２において、いくつかの実施形態では、車両センサーに捕捉された検知データまたはデータ記憶装置に格納された検知データが、複数の車両センサーまたは車両に関連付けられるセンサーから受信されてよい。例えば、スマートフォン等の１以上の電子デバイス１４０が、車両１０２とペアリングされてよい。電子デバイス１４０に関連付けられるセンサー（例えば、カメラフォンまたはマイク）は、検知データを捕捉し、該検知データを、車両１０２において知覚経験を創出するためのデバイスデータを生成するシステムに送信してよい。いくつかの実施形態では、検知データは、リモートサーバー１３０等の車両１０２外部のデータ記憶装置から、またはウェブサイトに関連付けられる記憶装置から、受信されてよい。リモートサーバー１３０は、車両において知覚経験を創造するためのデバイスデータをユーザーがアップロードまたはダウンロードできるようにしてよい。デバイスデータは、ユーザーによって生成されてよく、或いはプロによって作成されてよい（例えば、車両に取付可能な特殊な機器を用いて、または生成されたコンピューター・グラフィックス）。いくつかの実施形態では、デバイスデータは、車両１０２に関連付けられる１以上のデータセンサーまたは１以上の記憶装置から、１以上のデータストリームとして受信されてよい。いくつかの実施形態では、デバイスデータは、別の車両から直接受信されてよい。他の実施形態では、ユーザーは、ある車両１０２から受信されたデータを用いてデバイスデータを創出または生成し、該デバイスデータをリモートサーバー１３０、ウェブサイト、データベース、アプリケーションストアその他の他人がアクセス可能な場所にアップロードすることができる。該ユーザーによってアップロードされたデバイスデータは、別のユーザーによってダウンロードされ、そのユーザーの車で使用されてよい。いくつかの実施形態では、ユーザーは、１以上のデバイスデータセットを、アプリケーションストア、ウェブサイトまたはデバイスデータ市場から有料で購入することができる。購入されたデバイスデータセットは、車両１０２が該デバイスデータセットを受信可能である場合、車両１０２に直接送信されてよい。いくつかの実施形態では、購入されたデバイスデータセットは、他の手段（ＵＳＢフラッシュドライブ、ＣＤ、ＤＶＤ等）により、車両１０２に送信されてよい。いくつかの実施形態では、１以上のデバイスデータセットを格納可能な知覚経験デバイス１５０が、ユーザーによって取得されてよい。デバイスデータおよび／または検知データは、知覚経験デバイス１５０にダウンロードされてよい。いくつかの実施形態では、知覚経験デバイス１５０は、車両１０２に関連付けられる１以上の出力モダリティを特定してよい。知覚経験デバイス１５０は、検知データおよび／またはデバイスデータを決定および／または処理して、特定された１以上の出力モダリティに何の情報を送信するかを決定してよい。いくつかの実施形態では、知覚経験デバイス１５０は、車両１０２から取り外されて、ラップトップやデスクトップコンピューター等の１以上の電子デバイスに接続されてよい。いくつかの実施形態では、知覚経験デバイス１５０と電子デバイスとの接続は、無線であっても有線であってもよい。ユーザーは、１以上のデバイスデータセットまたは検知データセットを知覚経験デバイス１５０にダウンロードすることができる。続いて、知覚経験デバイス１５０は、ダウンロードされたデータセットのうち１以上を再生するために、車両１０２に再接続されてよい。
【００３９】
いくつかの実施形態では、車両１０２において知覚経験を創出するシステムは、車両１０２に関連付けられる様々なセンサー（加速度計、赤外線センサー、力センサー、圧力センサー、ＧＰＳ、動作感知器および運動センサー、温度センサー、光センサーおよび音声センサー等）から入力を捕捉する装置を備えてよい。該装置は、車両１０２の現在の状態の捕捉に関与してよく、各種センサーを作動させて、経験を捕捉し、または保存された経験を構成または修正する際に考慮される環境を調節してよい。
【００４０】
ブロック５０４において、受信された検知データに少なくとも部分的に基づいて、デバイスデータが生成されてよい。いくつかの実施形態では、１以上のセンサーまたはデータソースによって捕捉された検知データが処理されてよい。例えば、受信された検知データに対してアルゴリズムおよび分析技術が適用されてよい。いくつかの実施形態では、センサーフュージョン等のより複雑な処理が、１以上のセンサーまたはデータソースから受信された検知データに適用されてよい。センサーフュージョンは、コンテクスト、表面、照明条件その他の車両およびその周囲の関心特性を検出するために、２以上のセンサーからの入力を組み合わせる高次の学習機能の実施を可能にすることができる。経験に関するコンテンツ（ビデオ、音声、オブジェクト、表面等）は、抽出された後にモデル化されてよい。いくつかの実施形態では、オブジェクトは、経時的に追跡され、既存のデバイスデータに対して追加され得るものとして格納されてよい。
【００４１】
いくつかの実施形態では、デバイスデータは、処理された検知データに少なくとも部分的に基づいて、生成されてよい。デバイスデータは、既存のデバイスデータを用いて、該データの要素を修正して、生成されてよい。いくつかの実施形態では、デバイスデータは、他のユーザーまたは第三者の供給者によって提供されるコンポーネント（例えば、宇宙を飛行している映像等の、コンピューターで生成されたコンポーネント）を用いて、拡張されてよい。
【００４２】
ブロック５０６において、１以上の出力コンポーネントまたはモダリティが特定されてよい。いくつかの実施形態では、出力コンポーネントは、プロジェクター、スピーカーまたは環境システムを含んでよいが、これらに限定されない。車両の環境システムは、車両に関連付けられる空調システム（例えば、風や外気温等をエミュレートするため）または日光を模倣するための車両１０２の１以上の照明を含んでよい。いくつかの実施形態では、１以上の出力装置との接続が確立されてよい。いくつかの実施形態では、車両１０２の出力モダリティと通信するために、ＩＶＩシステム１１０が用いられてよい。車両１０２において知覚経験を創出するシステムは、デバイスデータの再生に関与してよい。システムは出力モダリティを制御してよく、出力モダリティは、車両の全表面（例えば窓や備品）に届くように異なる角度で設置された複数のプロジェクターを含んでよい。いくつかの実施形態では、１以上の出力コンポーネントまたはモダリティは、車両１０２内の１以上の表示パネルを含んでよく、車両１０２内の１以上の表示パネルは、デバイスデータセットに少なくとも部分的に基づく画像の表示に利用されてよい。出力モダリティは、スピーカー、送風機その他のリアルな場面創出を可能にし得るモダリティを含んでよい。サポートモードにおいて、システムは、環境制御部やスピーカー等の、車両１０２に含まれる出力デバイスと通信してよい。また、システムは、経験を拡張するために、ユーザーのスマートフォンまたはタブレット等の、他の関連付けられる電子デバイス１４０と通信してよい。このようなデバイスはデバイスデータの一部を提示してよく、または、生成され再生されるデバイスデータに関する随伴情報を提供してよい。いくつかの実施形態では、システムは、オブジェクトおよびストリームをデータベースから抽出し、必要な要素を構成して経験を実行するために、場面構成特徴を利用してよい。続いてこのような要素は、プロジェクター、ダッシュボード画面、オーディオ／環境制御画面等の出力モダリティに送信されてよい。これにより、捕捉された経験を車両において「再生」することができる。いくつかの実施形態では、デバイスデータの調節をユーザーの介入なしに行えるように、システムは環境のリアルタイム・モニタリングを採用してよく、また、データを経験データモジュール２２８に送信してよい。
【００４３】
ブロック５０８において、デバイスデータが送信されてよい。いくつかの実施形態では、デバイスデータは、出力のために１以上の装置に送信されてよい。例えば、デバイスデータに少なくとも部分的に基づいて、車両１０２に関連付けられる環境制御システムを調節するために、命令を直接的に、またはＩＶＩシステム１１０に送信してよい。いくつかの実施形態では、デバイスデータは、車両のユーザーに対する出力のために、１以上の出力コンポーネントに送信されてよい。いくつかの実施形態では、デバイスデータは記憶装置に送信されてよい。記憶装置は、ユーザーのみがアクセス可能であってもよく、他のユーザーがアクセス可能であってもよい。システムは、１以上のユーザーに対して、少なくとも１つのネットワークを介して、格納されたデバイスデータへのアクセスを促進してよい。いくつかの実施形態では、デバイスデータを車両１０２の１以上の室内表面に表示するために、命令が送信されてよい。命令は、デバイスデータを車両１０２の１以上の窓に表示させる命令、または車両１０２の１以上の室内表面に表示させる命令を含んでよい。
【００４４】
ブロック５１０において、特定された出力コンポーネントまたはモダリティにより、デバイスデータが出力されてよい。いくつかの実施形態では、出力コンポーネントまたはモダリティは、デバイスデータを受信してよい。出力コンポーネントまたはモダリティは、デバイスデータを処理し該デバイスデータを出力して、車両１０２において知覚経験を創出してよい。いくつかの実施形態では、デバイスデータを用いて、ディスプレーを利用することにより、または画像を車両１０２室内の表面（ダッシュボード３１０、フロントガラス４１０、窓４０５等）に投射することにより、車両１０２において経験が再創出されてよい。更に、車両１０２の出力モダリティに関連付けられるインターフェースは、ユーザーが既存のデバイスデータ（例えば、ユーザーにより生成されたデバイスデータおよび／またはプロにより作成されたデバイスデータ）をアップロード、ダウンロードまたはカスタマイズすることを許可してよい。インターフェースは、ユーザーが車両１０２で再生するデバイスデータを購入することを許可してよく、或いは、車両１０２に捕捉されたかまたは車両１０２に関連付けられる自身の経験を再生することを許可してよい。
【００４５】
いくつかの実施形態では、ユーザーインターフェースは、車両１０２室内の表面に投射されてよい。１以上のカメラは、投射されたユーザーインターフェースとインタラクトしている１以上のユーザーを捕捉してよく、この情報は、システムの動作に関連付けられるジェスチャーおよび動作を特定するために処理されてよい。例えば、ユーザーインターフェースが車両１０２のステレオの音量を制御する要素を有する場合、カメラは、音量を下げるために投射されたボタンとインタラクトしているユーザーの画像を捕捉してよい。システムは、画像を処理し、画像から特定されたジェスチャーが、ユーザーが車両１０２のスピーカーの音量を下げたがっていることを示していると決定してよい。続いてシステムは、スピーカーの音量を変更するために、車両１０２に命令を送信してよい。
【００４６】
図６は、本開示の実施形態に係る、車両において知覚経験を創出する知覚経験デバイス１５０の構成を示す図である。概要として、車両１０２において知覚経験を創出する例示的な知覚経験デバイス１５０は、４つの機能ブロックすなわちセンサープレーン（plane）６１０、捕捉プレーン６３０、再生プレーン６５０および出力プレーン６７０を備えてよい。
【００４７】
センサープレーン６１０は、知覚経験デバイス１５０が知覚経験デバイス１５０のセンサーハブ６０２から検知データを捕捉することを許可してよい。知覚経験デバイス１５０のセンサーハブ６０２は、１以上のセンサー、例えば１以上の加速度計６０４、１以上の赤外線センサー６０６、１以上の圧力センサー６０８、ＧＰＳデバイス６１０、１以上の運動センサー６１２、１以上の温度センサー６１４、１以上の光センサー６１６、１以上の音声センサー６１８等に関連付けられてよい。センサーハブ６０２は、現在の車両経験に関する検知データを捕捉してよい。センサープレーン６１０は、センサーハブ６０２の１以上のデバイスセンサーを起動して、車両１０２の経験を捕捉し、または、現在の環境に関連付けられる検知データを捕捉する。現在の環境に関連付けられる捕捉された検知データは、拡張に用いられてよく、或いは、経験に関連付けられるデバイスデータを生成または修正する際に他の方法で用いられてよい。いくつかの実施形態では、センサーハブは、経験をより有効にするために用いることができ、より高い精度での検知データの捕捉を可能にし得る１以上のセンサーを含んでよい。
【００４８】
知覚経験デバイス１５０の捕捉プレーン６３０は、捕捉モジュール６３２において、センサープレーン６１０から検知データを受信してよい。センサープレーン６１０から受信された検知データは、捕捉プレーン６３０によって処理されてよい。
【００４９】
いくつかの実施形態では、捕捉プレーン６３０は、比較的単純な分析を用いて、捕捉モジュール６３２によって受信された検知データを処理してよい。いくつかの実施形態では、捕捉プレーン６３０は、センサーフュージョンモジュール６３４により、より複雑な処理を実行してよい。センサーフュージョンモジュール６３４は、コンテクスト、表面、照明条件その他の車両１０２およびその環境の関心特性を検出するために、センサーハブ６０２の２以上のセンサーからの検知データを組み合わせる、比較的高次の学習機能の実施を可能にすることができる。経験に関するコンテンツ（ビデオ、音声、オブジェクト、表面等）は、捕捉プレーン６３０によって処理された検知データから、コンテンツ抽出モジュール６３６において抽出されてよい。コンテンツ抽出モジュール６３６によって抽出されたコンテンツは、場面構築モジュール６３８に送信されてよい。場面構築モジュール６３８は、オブジェクトおよび条件の形式でデバイスデータを生成してよい。
【００５０】
場面構築モジュール６３８によってモデル化されたオブジェクトおよび条件は、経時的に追跡されてよい。例えば、知覚経験デバイス１５０が捕捉専用モードで動作中である場合、知覚経験デバイス１５０によって捕捉され場面構築モジュール６３８によって経時的にモデル化されたオブジェクトおよび特性のシーケンスは、図示のデータベース６４０等の、知覚経験デバイス１５０に関連付けられる記憶装置に保存されてよい。格納されたデバイスデータは、将来の経験の再創出に用いられてよい。データベース６４０に格納されているデバイスデータは、他のユーザーと共有されてよい。例えば、データベース６４０に格納されているデバイスデータは、ネットワーク上のユーザーコミュニティにおいて、再生可能な同期ストリームを集めたものとして共有されてよい。デバイスデータは、データベース６４０からリモートサーバー１３０またはウェブサイト／デバイスデータリポジトリ６９０へアップロードされてよい。更に、ユーザーは、他人が作成した他の経験デバイスデータ（例えばオブジェクトおよび特徴）を、リモートサーバー１３０またはウェブサイト／デバイスデータリポジトリ６９０からダウンロードすることができる。
【００５１】
いくつかの実施形態では、知覚経験デバイス１５０が再生モードで動作中である場合、処理された検知データは、既存のデバイスデータセットの修正または拡張に用いられてよい。知覚経験デバイス１５０に関連付けられるあらゆるセンサーについて、車両１０２からの検知データは、保存されたデバイスデータのデータストリームを調節するために用いられてよい。例えば、オーディオ入力は、音量、強度その他の、知覚経験デバイス１５０のスピーカーにデバイスデータを送出する前に、保存されたオーディオストリームに適用する必要のある修正およびフィルターの決定に用いられてよい。
【００５２】
構成されたデバイスデータのストリームは、知覚経験デバイス１５０の再生プレーン６５０に送信されてよい。
【００５３】
知覚経験デバイス１５０の再生プレーン６５０は、生成されたデバイスデータを捕捉プレーン６３０のデータベース６４０から受信してよい。再生プレーン６５０は、捕捉プレーン６３０によって生成されデータベース６４０に格納されるデバイスデータに少なくとも部分的に基づく経験の再生に関与してよい。いくつかの実施形態では、再生プレーン６５０は、リモートサーバー１３０、ウェブサイト／デバイスデータリポジトリ６９０等から生成され、受信され、取得され、或いは購入されたデバイスデータに少なくとも部分的に基づく経験を再生してよい。場面構成モジュール６５４は、１以上の出力モダリティ６５６を特定し制御してよい。場面構成モジュール６５４は、捕捉プレーン６３０から受信されたデバイスデータに少なくとも部分的に基づく経験を再生するために、出力モダリティモジュール６５６と通信してデバイスデータを送信してよい。出力モダリティモジュール６５６は、複数の出力モダリティと通信してよく、複数の出力モダリティは、出力プレーン６７０の１以上のコンポーネントを含んでよい。出力モダリティの例としては、知覚経験を創出する知覚経験デバイス１５０に関連付けられる電子デバイス１４０または車両１０２に関連付けられる電子デバイス１４０、１以上のプロジェクター１２５（例えば知覚経験デバイス１５０に関連付けられてよく、または、車両１０２に関連付けられてよい）、環境制御システム６７２、オーディオシステム（例えばスピーカー）６７４、車両１０２に関連付けられるダッシュボード３１０が挙げられるが、これらに限定されない。場面構成モジュール６５４は、デバイスデータを処理し、１以上の出力モダリティを修正するために、または１以上の出力モダリティと通信するために、命令を出力モダリティモジュール６５６に送信してよい。例えば、場面構成モジュール６５４は、経験に関連付けられるデバイスデータを処理し、出力モダリティ（車両１０２の全表面（例えば窓４０５、４１０や備品）に届くように車両１０２において異なる角度で設置された複数のプロジェクター１２５を含んでよい）に対する命令を生成してよい。また、場面構成モジュール６５４は知覚経験デバイス１５０のスピーカー６７４、知覚経験デバイス１５０の環境制御システム６７２（例えば送風機）その他のリアルな場面再創出を可能にし得る出力モダリティに対して、命令を生成してもよい。
【００５４】
デバイスがサポートモードである場合、知覚経験デバイス１５０は、環境制御６７２やスピーカー６７４等の、車両１０２に関連付けられる出力装置を用いてもよい。
【００５５】
いくつかの実施形態では、出力モダリティモジュール６５６は、経験の再創出を更に拡張するために、ユーザーに関連付けられる電子デバイス１４０（例えばスマートフォン）等の他のデバイスと接続してよい。いくつかの実施形態では、関連付けられる電子デバイス１４０は、経験に関するデバイスデータに少なくとも部分的に基づいて、該経験の一部を表示してよい。いくつかの実施形態では、関連付けられる電子デバイス１４０は、経験に関連付けられるデバイスデータに基づいて、捕捉された周辺雑音または捕捉されたビデオのような、該経験に関する随伴情報を出力してよい。
【００５６】
場面構成モジュール６５４は、デバイスデータのオブジェクトおよびストリームをデータベース６４０から抽出し、経験の再創出に必要な要素を構成してよい。デバイスデータを１以上の出力モダリティ（プロジェクター１２５、ダッシュボード３１０またはパネル、オーディオ／スピーカーシステム６７４、環境制御システム６７２等）に出力するために、場面構成モジュール６５４によって命令が生成され、出力モダリティモジュール６５６に送信されてよい。１以上の出力モダリティによって出力されるデバイスデータにより、記録／捕捉された経験を、知覚経験デバイス１５０に関連付けられる車両１０２において再生することができる。
【００５７】
いくつかの実施形態では、再生プレーン６５０のフィードバックモジュール６５２は、環境のリアルタイム・モニタリングを可能にするために、捕捉プレーン６３０の捕捉モジュール６３２から検知データを受信してよい。捕捉されたデータは、出力モダリティに対して生成される命令を調節するために、場面構成モジュール６５４に送信されてよい。このようなフィードバック確認により、場面構成モジュール６５４は、ユーザーの介入なしに、環境の継続的な変化に合わせて、デバイスデータに少なくとも部分的に基づいて、経験を再創出することができる。例えば、フィードバックモジュールは、昼から夜への移行により環境内の光レベルが変化していることを示す検知データを、捕捉モジュール６３２から受信してよい。場面構成モジュール６５４は、検知データをフィードバックモジュール６５２から受信し、環境内の光の減少を補うように出力モダリティへの命令を調節してよい（例えば、プロジェクターによる明るさ出力を上げる）。
【００５８】
出力プレーン６７０は、車両内で（例えば、ディスプレー、投射画像、乗り心地調節（ride  adjustment）等を用いて）再創出される経験であってよい。更に、ユーザーインターフェースアプリケーションにより、ユーザーがユーザーにより生成されたコンテンツとプロにより作成されたコンテンツ（リモートサーバー１３０、ウェブサイト／デバイスデータリポジトリ６９０から購入されてよい）との両方をアップロードし、ダウンロードし、カスタマイズできるようにすることが可能となる。また、ユーザーは、知覚経験デバイス１５０によって捕捉された自身の経験を再生することもできる。
【００５９】
一実施形態において、コンピューターにより実現される方法が提供される。コンピューターにより実現される該方法は、１以上のプロセッサが、１以上のソースから検知データを受信するステップと、前記１以上のプロセッサが、前記受信された検知データに少なくとも部分的に基づいて、デバイスデータを生成するステップと、前記１以上のプロセッサが、車両に関連付けられる１以上の出力コンポーネントを特定するステップと、前記１以上のプロセッサが、前記車両のユーザーに対する出力のために、前記デバイスデータを前記１以上の出力コンポーネントに送信するステップと、を含んでよい。
【００６０】
実施形態の一態様では、１以上のプロセッサが１以上のソースから検知データを受信するステップは、前記車両に関連付けられる１以上のセンサー、第２の車両の１以上のセンサー、データベースまたはウェブサイトから、検知データを受信するステップ、を含んでよい。
【００６１】
実施形態の一態様では、コンピューターにより実現される該方法は、前記１以上のプロセッサが、前記デバイスデータをサーバーに格納するステップ、を含んでよい。
【００６２】
実施形態の一態様では、コンピューターにより実現される該方法は、前記１以上のプロセッサが、前記デバイスデータを前記車両の１以上の室内表面に表示するための命令を送信するステップ、を含んでよい。
【００６３】
実施形態の一態様では、コンピューターにより実現される該方法は、前記１以上のプロセッサが、デバイスデータ市場から取得される第２のデバイスデータを受信するステップ、を含んでよい。
【００６４】
実施形態の一態様では、前記出力コンポーネントは、前記車両に関連付けられる１以上のプロジェクターと、前記車両に関連付けられる１以上のスピーカーと、前記車両に関連付けられたる１以上の表示パネルと、前記車両に関連付けられる空調システムと、のうち少なくとも１つを更に含んでよい。
【００６５】
実施形態の一態様では、コンピューターにより実現される方法は更に、前記１以上のプロセッサが、１以上のデバイスとの接続を確立するステップと、前記１以上のプロセッサが、前記デバイスデータを出力のために前記１以上のデバイスに送信するステップと、を含んでよい。
【００６６】
別の実施形態において、システムは１以上のコンピューターを備えてよい。前記１以上のコンピューターは、少なくとも１つのプロセッサと、コンピューター実行可能命令を格納する少なくとも１つのメモリとを有してよい。前記少なくとも１つのプロセッサは、前記少なくとも１つのメモリにアクセスし、車両に関連付けられる複数のセンサーから、または複数のデータ記憶装置から、データを受信するためのコンピューター実行可能命令と、前記受信されたデータに少なくとも部分的に基づいて、デバイスデータを生成するためのコンピューター実行可能命令と、前記デバイスデータを、前記車両に関連付けられる１以上の出力コンポーネントに送信するためのコンピューター実行可能命令と、を実行するように動作可能である。
【００６７】
実施形態の一態様では、前記１以上の出力コンポーネントは、１以上のスピーカー、１以上のプロジェクター、前記車両に関連付けられる１以上の表示パネル、または、前記車両に関連付けられる環境システムを更に含んでよい。
【００６８】
実施形態の一態様では、前記少なくとも１つのプロセッサは更に、前記生成されたデバイスデータを格納するためのコンピューター実行可能命令を実行するように構成されてよい。
【００６９】
実施形態の一態様では、前記少なくとも１つのプロセッサは更に、１以上のユーザーに対して、少なくとも１つのネットワークを介して、保存された前記デバイスデータへのアクセスを促進するためのコンピューター実行可能命令を実行するように構成されてよい。
【００７０】
実施形態の一態様では、前記少なくとも１つのプロセッサは更に、前記デバイスデータを前記車両の１以上の室内表面に表示するための命令を送信するためのコンピューター実行可能命令を実行するように構成されてよい。
【００７１】
実施形態の一態様では、前記受信されたデータは、前記車両に関連付けられるデバイスデータ、第２の車両に関連付けられるデバイスデータ、または第三者によって生成されたデータを含んでよい。
【００７２】
実施形態の一態様では、前記少なくとも１つのプロセッサは更に、センサーフュージョンに少なくとも部分的に基づいて、前記受信されたデータを処理するためのコンピューター実行可能命令と、前記処理されたデータに少なくとも部分的に基づいて、前記デバイスデータを生成するためのコンピューター実行可能命令と、を実行するように構成されてよい。
【００７３】
別の実施形態において、コンピュータープログラムが提供されてよい。非一時的コンピューター可読媒体上に存在するコンピュータープログラムには、複数の命令が格納されてよい。前記複数の命令は、プロセッサによって実行されると、前記プロセッサに、車両に関連付けられる１以上のデータセンサーから、１以上のデータストリームおよびデータを受信する工程と、前記１以上のデータストリームと前記受信されたデータとのうち少なくとも１つに少なくとも部分的に基づいて、デバイスデータを生成する工程と、前記デバイスデータの少なくとも一部を、前記車両に関連付けられる１以上の出力コンポーネントに送信する工程と、を含む工程を実行させる。
【００７４】
実施形態の一態様では、前記工程は更に、前記デバイスデータを前記車両の１以上の室内表面に表示するための命令を送信する工程、を含んでよい。
【００７５】
実施形態の一態様では、前記工程は更に、前記デバイスデータに少なくとも部分的に基づいて前記車両に関連付けられる環境制御システムを調節するための命令を送信する工程、を含んでよい。
【００７６】
実施形態の一態様では、デバイスデータを生成する前記工程は更に、センサーフュージョンに少なくとも部分的に基づいて、前記車両に関連付けられる前記１以上のデータセンサーからの前記受信されたデータを処理する工程と、前記処理されたデータから、関連コンテンツを抽出する工程と、前記抽出されたコンテンツに少なくとも部分的に基づいて、デバイスデータを生成する工程と、を含んでよい。
【００７７】
実施形態の一態様では、前記工程は更に、前記車両の表面にユーザーインターフェースを投射する工程と、インタラクションデータを受信する工程であって、前記インタラクションデータは１以上の車両センサーによって捕捉され、前記インタラクションデータは、１以上のユーザーの前記投射されたユーザーインターフェースとのインタラクションを捕捉する、工程と、前記インタラクションデータを処理する工程と、を含んでよい。
【００７８】
実施形態の一態様では、前記工程は更に、前記処理されたインタラクションデータに少なくとも部分的に基づいて、前記ユーザーインターフェースに関連付けられる１以上の車両コンポーネントに命令を送信する工程、を含んでよい。
【００７９】
別の実施形態において、システムは、少なくとも１つのプロセッサと、コンピューター実行可能命令を格納する少なくとも１つのメモリとを備えてよい。前記少なくとも１つのプロセッサは、前記少なくとも１つのメモリにアクセスし、１以上のソースから検知データを受信するためのコンピューター実行可能命令と、前記受信された検知データに少なくとも部分的に基づいて、デバイスデータを生成するためのコンピューター実行可能命令と、車両に関連付けられる１以上の出力コンポーネントを特定するためのコンピューター実行可能命令と、前記デバイスデータを、前記車両のユーザーに対する出力のために前記１以上の出力コンポーネントに送信するためのコンピューター実行可能命令と、を実行するように動作可能である。
【００８０】
実施形態の一態様では、１以上のソースから前記検知データを受信するとき、前記少なくとも１つのプロセッサは、前記少なくとも１つのメモリにアクセスし、前記車両に関連付けられる１以上のセンサー、第２の車両の１以上のセンサー、データベースまたはウェブサイトから、検知データを受信するためのコンピューター実行可能命令を実行するように動作可能である。
【００８１】
実施形態の一態様では、前記少なくとも１つのプロセッサは、前記少なくとも１つのメモリにアクセスし、前記デバイスデータをサーバーに格納するためのコンピューター実行可能命令を実行するように動作可能である。
【００８２】
実施形態の一態様では、前記少なくとも１つのプロセッサは、前記少なくとも１つのメモリにアクセスし、前記デバイスデータを前記車両の１以上の室内表面に表示するための命令を送信するためのコンピューター実行可能命令を実行するように動作可能である。
【００８３】
実施形態の一態様では、前記少なくとも１つのプロセッサは、前記少なくとも１つのメモリにアクセスし、デバイスデータ市場から取得される第２のデバイスデータを受信するためのコンピューター実行可能命令を実行するように動作可能である。
【００８４】
実施形態の一態様では、前記出力コンポーネントは、前記車両に関連付けられる１以上のプロジェクターと、前記車両に関連付けられる１以上のスピーカーと、前記車両に関連付けられる１以上の表示パネルと、前記車両に関連付けられる空調システムと、のうち少なくとも１つを更に含んでよい。
【００８５】
実施形態の一態様では、前記少なくとも１つのプロセッサは、前記少なくとも１つのメモリにアクセスし、１以上のデバイスとの接続を確立するためのコンピューター実行可能命令と、前記デバイスデータを出力のために前記１以上のデバイスに送信するためのコンピューター実行可能命令と、を実行するように動作可能である。
【００８６】
別の実施形態において、非一時的コンピューター可読媒体上に存在するコンピュータープログラムには、複数の命令が格納されてよい。前記複数の命令は、プロセッサによって実行されると、前記プロセッサに、１以上のソースから検知データを受信する工程と、前記受信された検知データに少なくとも部分的に基づいて、デバイスデータを生成する工程と、車両に関連付けられる１以上の出力コンポーネントを特定する工程と、前記デバイスデータを、前記車両のユーザーに対する出力のために前記１以上の出力コンポーネントに送信する工程と、を含む工程を実行させる。
【００８７】
実施形態の一態様では、１以上のソースから検知データを受信する前記工程は、前記車両に関連付けられる１以上のセンサー、第２の車両の１以上のセンサー、データベースまたはウェブサイトから、検知データを受信する工程を含んでよい。
【００８８】
実施形態の一態様では、前記工程は更に、前記デバイスデータをサーバーに格納する工程を含んでよい。
【００８９】
実施形態の一態様では、前記工程は更に、前記デバイスデータを前記車両の１以上の室内表面に表示するための命令を送信する工程を含んでよい。
【００９０】
実施形態の一態様では、前記工程は更に、デバイスデータ市場から取得される第２のデバイスデータを受信する工程を含んでよい。
【００９１】
実施形態の一態様では、前記出力コンポーネントは、前記車両に関連付けられる１以上のプロジェクターと、前記車両に関連付けられる１以上のスピーカーと、前記車両に関連付けられる１以上の表示パネルと、前記車両に関連付けられる空調システムと、のうち少なくとも１つを更に含んでよい。
【００９２】
実施形態の一態様では、前記工程は更に、１以上のデバイスとの接続を確立する工程と、前記デバイスデータを出力のために前記１以上のデバイスに送信する工程と、を含んでよい。
【００９３】
別の実施形態において、システムは、１以上のソースから検知データを受信する手段と、前記受信された検知データに少なくとも部分的に基づいて、デバイスデータを生成する手段と、車両に関連付けられる１以上の出力コンポーネントを特定する手段と、前記デバイスデータを、前記車両のユーザーに対する出力のために前記１以上の出力コンポーネントに送信する手段と、を備えてよい。
【００９４】
実施形態の一態様では、１以上のソースから検知データを受信する前記手段は、前記車両に関連付けられる１以上のセンサー、第２の車両の１以上のセンサー、データベースまたはウェブサイトから、検知データを受信する手段を更に含んでよい。
【００９５】
実施形態の一態様では、前記システムは、前記デバイスデータをサーバーに格納する手段を備えてよい。
【００９６】
実施形態の一態様では、前記システムは、前記デバイスデータを前記車両の１以上の室内表面に表示するための命令を送信する手段を備えてよい。
【００９７】
実施形態の一態様では、前記システムは、デバイスデータ市場から取得される第２のデバイスデータを受信する手段を備えてよい。
【００９８】
実施形態の一態様では、前記出力コンポーネントは、前記車両に関連付けられる１以上のプロジェクターと、前記車両に関連付けられる１以上のスピーカーと、前記車両に関連付けられる１以上の表示パネルと、前記車両に関連付けられる空調システムと、のうち少なくとも１つを更に含んでよい。
【００９９】
実施形態の一態様では、前記システムは、１以上のデバイスとの接続を確立する手段と、前記デバイスデータを出力のために前記１以上のデバイスに送信する手段と、を備えてよい。
【０１００】
別の実施形態では、装置は、少なくとも１つのアンテナと、少なくとも１つの送受信部と、少なくとも１つのプロセッサと、コンピューター実行可能命令を格納する少なくとも１つのメモリと、を備えてよい。前記少なくとも１つのプロセッサは、前記少なくとも１つのメモリにアクセスし、１以上のソースから検知データを受信するためのコンピューター実行可能命令と、前記受信された検知データに少なくとも部分的に基づいて、デバイスデータを生成するためのコンピューター実行可能命令と、車両に関連付けられる１以上の出力コンポーネントを特定するためのコンピューター実行可能命令と、前記デバイスデータを、前記車両のユーザーに対する出力のために前記１以上の出力コンポーネントに送信するためのコンピューター実行可能命令と、を実行するように動作可能である。
【０１０１】
実施形態の一態様では、１以上のソースから検知データを受信するとき、前記少なくとも１つのプロセッサは、前記少なくとも１つのメモリにアクセスし、前記車両に関連付けられる１以上のセンサー、第２の車両の１以上のセンサー、データベースまたはウェブサイトから、検知データを受信するためのコンピューター実行可能命令を実行するように動作可能である。
【０１０２】
実施形態の一態様では、前記少なくとも１つのプロセッサは、前記少なくとも１つのメモリにアクセスし、前記デバイスデータをサーバーに格納するためのコンピューター実行可能命令を実行するように動作可能である。
【０１０３】
実施形態の一態様では、前記少なくとも１つのプロセッサは、前記少なくとも１つのメモリにアクセスし、前記デバイスデータを前記車両の１以上の室内表面に表示するための命令を送信するためのコンピューター実行可能命令を実行するように動作可能である。
【０１０４】
実施形態の一態様では、前記少なくとも１つのプロセッサは、前記少なくとも１つのメモリにアクセスし、デバイスデータ市場から取得される第２のデバイスデータを受信するためのコンピューター実行可能命令を実行するように動作可能である。
【０１０５】
実施形態の一態様では、前記出力コンポーネントは、前記車両に関連付けられる１以上のプロジェクターと、前記車両に関連付けられる１以上のスピーカーと、前記車両に関連付けられる１以上の表示パネルと、前記車両に関連付けられる空調システムと、のうち少なくとも１つを更に含んでよい。
【０１０６】
実施形態の一態様では、前記少なくとも１つのプロセッサは、前記少なくとも１つのメモリにアクセスし、１以上のデバイスとの接続を確立するためのコンピューター実行可能命令と、前記デバイスデータを出力のために前記１以上のデバイスに送信するためのコンピューター実行可能命令と、を実行するように動作可能である。
【０１０７】
別の実施形態において、コンピューターにより実現される方法は、１以上のコンピュータープロセッサを有するデバイスが、車両に関連付けられたる複数のセンサーから、または複数のデータ記憶装置から、データを受信するステップと、前記デバイスが、前記受信されたデータに少なくとも部分的に基づいて、デバイスデータを生成するステップと、前記デバイスが、前記デバイスデータを、車両に関連付けられる１以上の出力コンポーネントに送信するステップと、を含んでよい。
【０１０８】
実施形態の一態様では、前記１以上の出力コンポーネントは、１以上のスピーカー、１以上のプロジェクター、前記車両に関連付けられる１以上の表示パネル、または、前記車両に関連付けられる環境システム、を更に含んでよい。
【０１０９】
実施形態の一態様では、コンピューターにより実現される前記方法は、前記デバイスが、前記生成されたデバイスデータを格納するステップを含んでよい。
【０１１０】
実施形態の一態様では、コンピューターにより実現される前記方法は、前記デバイスが、１以上のユーザーに対して、少なくとも１つのネットワークを介して、前記格納されたデバイスデータへのアクセスを促進するステップ、を含んでよい。
【０１１１】
実施形態の一態様では、コンピューターにより実現される前記方法は、前記デバイスが、前記デバイスデータを前記車両の１以上の室内表面に表示するための命令を送信するステップを含んでよい。
【０１１２】
実施形態の一態様では、前記受信されたデータは、前記車両に関連付けられるデバイスデータ、第２の車両に関連付けられるデバイスデータ、または第三者によって生成されたデータを含んでよい。
【０１１３】
実施形態の一態様では、コンピューターにより実現される前記方法は、前記デバイスが、センサーフュージョンに少なくとも部分的に基づいて、前記受信されたデータを処理するステップと、前記処理されたデータに少なくとも部分的に基づいて、前記デバイスデータを生成するステップと、を含んでよい。
【０１１４】
別の実施形態において、非一時的コンピューター可読媒体上に存在するコンピュータープログラムには、複数の命令が格納されてよい。前記複数の命令は、プロセッサによって実行されると、前記プロセッサに、車両に関連付けられる複数のセンサーから、または複数のデータ記憶装置から、データを受信する工程と、前記受信されたデータに少なくとも部分的に基づいて、デバイスデータを生成する工程と、前記デバイスデータを、車両に関連付けられる１以上の出力コンポーネントに送信する工程と、を含む工程を実行させる。
【０１１５】
実施形態の一態様では、前記１以上の出力コンポーネントは、１以上のスピーカー、１以上のプロジェクター、前記車両に関連付けられる１以上の表示パネル、または、前記車両に関連付けられる環境システム、を更に含んでよい。
【０１１６】
実施形態の一態様では、前記工程は更に、前記生成されたデバイスデータを格納する工程を含んでよい。
【０１１７】
実施形態の一態様では、前記工程は更に、１以上のユーザーに対して、少なくとも１つのネットワークを介して、前記格納されたデバイスデータへのアクセスを促進する工程を含んでよい。
【０１１８】
実施形態の一態様では、前記工程は更に、前記デバイスデータを前記車両の１以上の室内表面に表示するための命令を送信する工程を含んでよい。
【０１１９】
実施形態の一態様では、前記受信されたデータは、前記車両に関連付けられるデバイスデータ、第２の車両に関連付けられるデバイスデータ、または第三者によって生成されたデータを含んでよい。
【０１２０】
実施形態の一態様では、前記工程は更に、センサーフュージョンに少なくとも部分的に基づいて、前記受信されたデータを処理する工程と、前記処理されたデータに少なくとも部分的に基づいて、前記デバイスデータを生成する工程と、を含んでよい。
【０１２１】
別の実施形態において、システムは、車両に関連付けられる複数のセンサーから、または複数のデータ記憶装置から、データを受信する手段と、少なくとも部分的に前記受信されたデータを生成する手段と、前記デバイスデータを、車両に関連付けられる１以上の出力コンポーネントに送信する手段と、を備えてよい。
【０１２２】
実施形態の一態様では、前記１以上の出力コンポーネントは、１以上のスピーカー、１以上のプロジェクター、前記車両に関連付けられる１以上の表示パネル、または、前記車両に関連付けられる環境システムを更に含んでよい。
【０１２３】
実施形態の一態様では、前記システムは、前記生成されたデバイスデータを格納する手段を備えてよい。
【０１２４】
実施形態の一態様では、前記システムは、１以上のユーザーに対して、少なくとも１つのネットワークを介して、前記格納されたデバイスデータへのアクセスを促進する手段を備えてよい。
【０１２５】
実施形態の一態様では、前記システムは、前記デバイスデータを前記車両の１以上の室内表面に表示するための命令を送信する手段を備えてよい。
【０１２６】
実施形態の一態様では、前記受信されたデータは、前記車両に関連付けられるデバイスデータ、第２の車両に関連付けられるデバイスデータ、または第三者によって生成されたデバイスデータを含んでよい。
【０１２７】
実施形態の一態様では、前記システムは、センサーフュージョンに少なくとも部分的に基づいて、前記受信されたデータを処理する手段と、前記処理されたデータに少なくとも部分的に基づいて、前記デバイスデータを生成すると、を備えてよい。
【０１２８】
別の実施形態において、装置は、少なくとも１つのアンテナと、少なくとも１つの送受信部と、少なくとも１つのプロセッサと、コンピューター実行可能命令を格納する少なくとも１つのメモリと、を備えてよい。前記少なくとも１つのプロセッサは、前記少なくとも１つのメモリにアクセスし、車両に関連付けられる複数のセンサーから、または複数のデータ記憶装置から、データを受信するためのコンピューター実行可能命令と、前記受信されたデータに少なくとも部分的に基づいて、デバイスデータを生成するためのコンピューター実行可能命令と、前記デバイスデータを、車両に関連付けられる１以上の出力コンポーネントに送信するためのコンピューター実行可能命令と、を実行するように動作可能である。
【０１２９】
実施形態の一態様では、前記１以上の出力コンポーネントは、１以上のスピーカー、１以上のプロジェクター、前記車両に関連付けられる１以上の表示パネル、または、前記車両に関連付けられる環境システム、を更に含んでよい。
【０１３０】
実施形態の一態様では、前記少なくとも１つのプロセッサは、前記少なくとも１つのメモリにアクセスし、前記生成されたデバイスデータを格納するためのコンピューター実行可能命令を実行するように動作可能である。
【０１３１】
実施形態の一態様では、前記少なくとも１つのプロセッサは、前記少なくとも１つのメモリにアクセスし、１以上のユーザーに対して、少なくとも１つのネットワークを介して、前記格納されたデバイスデータへのアクセスを促進するためのコンピューター実行可能命令を実行するように動作可能である。
【０１３２】
実施形態の一態様では、前記少なくとも１つのプロセッサは、前記少なくとも１つのメモリにアクセスし、前記デバイスデータを前記車両の１以上の室内表面に表示するための命令を送信するためのコンピューター実行可能命令を実行するように動作可能である。
【０１３３】
実施形態の一態様では、前記受信されたデータは、前記車両に関連付けられるデバイスデータ、第２の車両に関連付けられるデバイスデータ、または第三者によって生成されたデータを含んでよい。
【０１３４】
実施形態の一態様では、前記少なくとも１つのプロセッサは、前記少なくとも１つのメモリにアクセスし、センサーフュージョンに少なくとも部分的に基づいて、前記受信されたデータを処理するためのコンピューター実行可能命令と、前記処理されたデータに少なくとも部分的に基づいて、前記デバイスデータを生成するためのコンピューター実行可能命令と、を実行するように動作可能である。
【０１３５】
別の実施形態において、コンピューターにより実現される方法は、１以上のコンピュータープロセッサを有するデバイスが、車両に関連付けられる１以上のデータセンサーから、１以上のデータストリームおよびデータを受信するステップと、前記デバイスが、前記１以上のデータストリームと前記受信されたデータとのうち少なくとも１つに少なくとも部分的に基づいて、デバイスデータを生成するステップと、前記デバイスが、前記デバイスデータの少なくとも一部を、車両に関連付けられる１以上の出力コンポーネントに送信するステップと、を含んでよい。
【０１３６】
実施形態の一態様では、コンピューターにより実現される前記方法は、前記デバイスが、前記デバイスデータの少なくとも一部を前記車両の１以上の室内表面に表示するための命令を送信するステップ、を含んでよい。
【０１３７】
実施形態の一態様では、コンピューターにより実現される前記方法は、前記デバイスが、前記デバイスデータに少なくとも部分的に基づいて、前記車両に関連付けられる環境制御システムを調節するための命令を送信するステップ、を含んでよい。
【０１３８】
実施形態の一態様では、デバイスデータを生成する前記ステップは更に、前記デバイスが、センサーフュージョンに少なくとも部分的に基づいて、前記車両に関連付けられる前記１以上のデータセンサーからの前記受信されたデータを処理するステップと、前記デバイスが、前記処理されたデータから関連コンテンツを抽出するステップと、前記抽出されたコンテンツに少なくとも部分的に基づいて、デバイスデータを生成するステップと、を含んでよい。
【０１３９】
実施形態の一態様では、コンピューターにより実現される前記方法は、前記デバイスが、前記車両の表面にユーザーインターフェースを投射するステップと、前記デバイスがインタラクションデータを受信するステップであって、前記インタラクションデータは１以上の車両センサーによって捕捉され、前記インタラクションデータは、１以上のユーザーの前記投射されたユーザーインターフェースとのインタラクションを捕捉する、ステップと、前記インタラクションデータを処理するステップと、を含んでよい。
【０１４０】
実施形態の一態様では、コンピューターにより実現される前記方法は、前記デバイスが、記処理されたインタラクションデータに少なくとも部分的に基づいて、前記ユーザーインターフェースに関連付けられる１以上の車両コンポーネントに命令を送信するステップ、を含んでよい。
【０１４１】
別の実施形態において、システムは、少なくとも１つのプロセッサと、コンピューター実行可能命令を格納する少なくとも１つのメモリとを備えてよい。前記少なくとも１つのプロセッサは、前記少なくとも１つのメモリにアクセスし、車両に関連付けられる１以上のデータセンサーから、１以上のデータストリームおよびデータを受信するためのコンピューター実行可能命令と、前記１以上のデータストリームと前記受信されたデータとのうち少なくとも１つに少なくとも部分的に基づいて、デバイスデータを生成するためのコンピューター実行可能命令と、前記デバイスデータの少なくとも一部を、車両に関連付けられる１以上の出力コンポーネントに送信するためのコンピューター実行可能命令と、を実行するように動作可能である。
【０１４２】
実施形態の一態様では、前記少なくとも１つのプロセッサは、前記少なくとも１つのメモリにアクセスし、前記デバイスデータの少なくとも一部を前記車両の１以上の室内表面に表示するための命令を送信するためのコンピューター実行可能命令を実行するように動作可能である。
【０１４３】
実施形態の一態様では、前記少なくとも１つのプロセッサは、前記少なくとも１つのメモリにアクセスし、前記デバイスデータに少なくとも部分的に基づいて、前記車両に関連付けられる環境制御システムを調節するための命令を送信するためのコンピューター実行可能命令を実行するように動作可能である。
【０１４４】
実施形態の一態様では、前記少なくとも１つのプロセッサは、前記少なくとも１つのメモリにアクセスし、センサーフュージョンに少なくとも部分的に基づいて、前記車両に関連付けられる前記１以上のデータセンサーからの前記受信されたデータを処理するためのコンピューター実行可能命令と、前記処理されたデータから関連コンテンツを抽出するためのコンピューター実行可能命令と、前記抽出されたコンテンツに少なくとも部分的に基づいて、デバイスデータを生成するためのコンピューター実行可能命令と、を実行するように動作可能である。
【０１４５】
実施形態の一態様では、前記少なくとも１つのプロセッサは、前記少なくとも１つのメモリにアクセスし、前記車両の表面にユーザーインターフェースを投射するためのコンピューター実行可能命令と、インタラクションデータを受信するためのコンピューター実行可能命令と、前記インタラクションデータを処理するためのコンピューター実行可能命令と、を実行するように動作可能である。ここで、前記インタラクションデータは１以上の車両センサーによって捕捉され、前記インタラクションデータは、１以上のユーザーの前記投射されたユーザーインターフェースとのインタラクションを捕捉する。
【０１４６】
実施形態の一態様では、前記少なくとも１つのプロセッサは、前記少なくとも１つのメモリにアクセスし、前記処理されたインタラクションデータに少なくとも部分的に基づいて、前記ユーザーインターフェースに関連付けられる１以上の車両コンポーネントに命令を送信するためのコンピューター実行可能命令を実行するように動作可能である。
【０１４７】
別の実施形態において、システムは、車両に関連付けられる１以上のデータセンサーから、１以上のデータストリームおよびデータを受信する手段と、前記１以上のデータストリームと前記受信されたデータとのうち少なくとも１つに少なくとも部分的に基づいて、デバイスデータを生成する手段と、前記デバイスデータの少なくとも一部を、車両に関連付けられる１以上の出力コンポーネントに送信する手段と、を備えてよい。
【０１４８】
実施形態の一態様では、前記システムは、前記デバイスデータを前記車両の１以上の室内表面に表示するための命令を送信する手段を備えてよい。
【０１４９】
実施形態の一態様では、前記システムは、前記デバイスデータに少なくとも部分的に基づいて前記車両に関連付けられる環境制御システムを調節するための命令を送信する手段を備えてよい。
【０１５０】
実施形態の一態様では、デバイスデータを生成する前記手段は更に、センサーフュージョンに少なくとも部分的に基づいて、前記車両に関連付けられる前記１以上のデータセンサーからの前記受信されたデータを処理する手段と、前記処理されたデータから、関連コンテンツを抽出する手段と、前記抽出されたコンテンツに少なくとも部分的に基づいて、デバイスデータを生成する手段と、を含んでよい。
【０１５１】
実施形態の一態様では、前記システムは、前記車両の表面にユーザーインターフェースを投射する手段と、インタラクションデータを受信する手段であって、前記インタラクションデータは１以上の車両センサーによって捕捉され、前記インタラクションデータは、１以上のユーザーの前記投射されたユーザーインターフェースとのインタラクションを捕捉する、手段と、前記インタラクションデータを処理する手段と、を備えてよい。
【０１５２】
実施形態の一態様では、前記システムは、前記処理されたインタラクションデータに少なくとも部分的に基づいて、前記ユーザーインターフェースに関連付けられる１以上の車両コンポーネントに命令を送信する手段を備えてよい。
【０１５３】
別の実施形態において、装置は、少なくとも１つのアンテナと、少なくとも１つの送受信部と、少なくとも１つのプロセッサと、コンピューター実行可能命令を格納する少なくとも１つのメモリとを備えてよい。前記少なくとも１つのプロセッサは、前記少なくとも１つのメモリにアクセスし、車両に関連付けられる１以上のデータセンサーから、１以上のデータストリームおよびデータを受信するためのコンピューター実行可能命令と、前記１以上のデータストリームと前記受信されたデータとのうち少なくとも１つに少なくとも部分的に基づいて、デバイスデータを生成するためのコンピューター実行可能命令と、前記デバイスデータの少なくとも一部を、車両に関連付けられる１以上の出力コンポーネントに送信するためのコンピューター実行可能命令と、を実行するように動作可能である。
【０１５４】
実施形態の一態様では、前記少なくとも１つのプロセッサは、前記少なくとも１つのメモリにアクセスし、前記デバイスデータの少なくとも一部を前記車両の１以上の室内表面に表示するための命令を送信するためのコンピューター実行可能命令を実行するように動作可能である。
【０１５５】
実施形態の一態様では、前記少なくとも１つのプロセッサは、前記少なくとも１つのメモリにアクセスし、前記デバイスデータに少なくとも部分的に基づいて、前記車両に関連付けられる環境制御システムを調節するための命令を送信するためのコンピューター実行可能命令を実行するように動作可能である。
【０１５６】
実施形態の一態様では、デバイスデータを生成するときに、前記少なくとも１つのプロセッサは、前記少なくとも１つのメモリにアクセスし、センサーフュージョンに少なくとも部分的に基づいて、前記車両に関連付けられる前記１以上のデータセンサーからの前記受信されたデータを処理するためのコンピューター実行可能命令と、前記処理されたデータから関連コンテンツを抽出するためのコンピューター実行可能命令と、前記抽出されたコンテンツに少なくとも部分的に基づいて、デバイスデータを生成するためのコンピューター実行可能命令と、を実行するように動作可能である。
【０１５７】
実施形態の一態様では、前記少なくとも１つのプロセッサは、前記少なくとも１つのメモリにアクセスし、前記車両の表面にユーザーインターフェースを投射するためのコンピューター実行可能命令と、インタラクションデータを受信するためのコンピューター実行可能命令であって、前記インタラクションデータは１以上の車両センサーによって捕捉され、前記インタラクションデータは、１以上のユーザーの前記投射されたユーザーインターフェースとのインタラクションを捕捉する、コンピューター実行可能命令と、前記インタラクションデータを処理するためのコンピューター実行可能命令と、を実行するように動作可能である。
【０１５８】
実施形態の一態様では、前記少なくとも１つのプロセッサは、前記少なくとも１つのメモリにアクセスし、前記処理されたインタラクションデータに少なくとも部分的に基づいて、前記ユーザーインターフェースに関連付けられる１以上の車両コンポーネントに命令を送信するためのコンピューター実行可能命令を実行するように動作可能である。
【０１５９】
以上、例示的な実施形態に係るシステム、方法、装置および／またはコンピュータープログラムのブロック図およびフロー図を参照して、本開示の特定の態様を説明した。ブロック図およびフロー図の１以上のブロック、ならびにブロック図およびフロー図のブロックの組合わせは、それぞれコンピューター実行可能プログラム命令によって実施可能であることが理解されるであろう。同様に、いくつかの実施形態によれば、ブロック図およびフロー図の一部のブロックは、必ずしも提示された順序で実行されなくてもよく、或いは、全く実行されなくてもよい。
【０１６０】
このようなコンピューター実行可能プログラム命令は、特定のマシンを作り出すために、専用コンピューターもしくは他の特定のマシン、プロセッサその他のプログラマブルデータ処理装置にロードされてよく、結果として、コンピューター、プロセッサその他のプログラマブルデータ処理装置上で実行される命令により、フロー図の１つのブロックまたは複数のブロックによって特定される１以上の機能を実施する手段が創出される。また、このようなコンピュータープログラム命令は、コンピューターその他のプログラマブルデータ処理装置に対して特定の方法で機能するように指示することができるコンピューター可読メモリに格納されてもよく、結果として、コンピューター可読メモリに格納される命令により、フロー図の１つのブロックまたは複数のブロックによって特定される１以上の機能を実施する命令手段を有する製品が創出される。一例として、特定の実施形態は、本明細書で具体化されたコンピューター可読プログラムコードまたはプログラム命令を有するコンピューター使用可能媒体を備えるコンピュータープログラムを提供することができる。該コンピューター可読プログラムコードは、フロー図の１つのブロックまたは複数のブロックによって特定される１以上の機能を実施するように実行されるように構成される。また、コンピュータープログラム命令は、一連の工程要素またはステップをコンピューターその他のプログラマブル装置上で実行させて、コンピューターにより実行されるプロセスを作り出すために、コンピューターその他のプログラマブルデータ処理装置にロードされてよく、結果として、コンピューターその他のプログラマブル装置上で実行される命令により、フロー図の１つのブロックまたは複数のブロックによって特定される１以上の機能を実施する要素またはステップが提供される。
【０１６１】
したがって、ブロック図およびフロー図のブロックは、特定された機能を実行する手段の組合わせと、特定された機能を実行する要素またはステップの組合わせと、特定された機能を実行するプログラム命令手段と、をサポートする。ブロック図およびフロー図の各ブロックおよびブロック図およびフロー図のブロックの組合わせは、特定された機能、要素もしくはステップ、または特定用途ハードウェアとコンピューター命令との組合わせを実行する特定用途のハードウェアベースのコンピューターシステムによって実施されてよいことが理解されるであろう。
【０１６２】
「〜することができる」「〜し得る」「〜する場合がある」「〜してよい」等の条件的な文言は、別段の言及がない限り、または使用される文脈で他の意味に解釈されない限り、一般に、特定の実施形態が特定の特徴、要素および／または工程を含み得る一方、他の実施形態は含まないことを伝えることを意図している。したがって、このような条件的な文言は、一般に、特徴、要素および／または工程が何らかの形で１以上の実施形態に必要であることを意味することを意図するものではなく、また、１以上の実施形態が必然的に、そのような特徴、要素および／または工程が任意の特定の実施形態において含まれるかどうか、または実行されるかどうかを、ユーザーの入力または促進の有無に関わらず決定するためのロジックを含むことを意味することを意図するものでもない。
【０１６３】
本明細書に記載された本開示の多くの変更および他の実施形態が、上述の説明および関連の図面に提示された教示の利益を有することは、明らかであろう。したがって、本開示が開示された特定の実施形態に限定されず、また、変更および他の実施形態が添付の特許請求の範囲に包含されるように意図されていることが理解される。本明細書では特定の用語が用いられたが、それらは包括的かつ説明的に用いられるに過ぎず、限定を目的とするものではない。
【図１】
2015536280.tif 000003
【図２】
2015536280.tif 000004
【図３Ａ】
2015536280.tif 000005
【図３Ｂ】
2015536280.tif 000006
【図４Ａ】
2015536280.tif 000007
【図４Ｂ】
2015536280.tif 000008
【図５】
2015536280.tif 000009
【図６】
2015536280.tif 000010
【国際調査報告】
2015536280.tif 000011
2015536280.tif 000012
2015536280.tif 000013
2015536280.tif 000014